(57)【特許請求の範囲】
【請求項１】
送信ビーム特定方法であって、
送信側が、Ｎ（正整数）個の送信ビームのビームトレーニング信号を受信側に送信することと、
前記送信側が、前記受信側から送信された以下の情報、即ち、前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信することと、
ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果であり、
前記送信側が、前記Ｑ個の送信ビームのうち、異なる送信ビームグループに属する送信ビームで前記受信側に同時に信号を送信できると特定することと、
を含み、
前記送信側が、前記受信側から送信された前記Ｎ個の送信ビームのうちのＱ個の送信ビームのＩＤ情報、および前記Ｑ個の送信ビームのうちの各送信ビームのグループ情報を受信することは、
前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することを含み、ここで、各送信ビームグループのうち、同一の受信ビームに対応する送信ビームは、１つの送信ビームサブグループに区分され、
前記方法において、
前記送信側が、前記Ｑ個の送信ビームのうち、同一の送信ビームサブグループに属する送信ビームで前記受信側に同時に信号を送信できると特定することをさらに含む、送信ビーム特定方法。
【請求項２】
前記Ｇ個の送信ビームグループは、それぞれ前記受信側のＧ個の送受信ユニットグループに対応する請求項１に記載の方法。
【請求項３】
前記測定結果は、
前記受信側が、前記Ｎ個の送信ビームのうちの各送信ビームのビームトレーニング信号に対し、前記Ｇ個の送受信ユニットグループで受信および測定を行って得た前記Ｇ個の送受信ユニットグループの測定結果を含み、ここで、各送受信ユニットグループの測定結果は、当該送受信ユニットグループで前記Ｎ個の送信ビームのビームトレーニング信号に対し受信および測定を行った測定結果を含み、
前記Ｑ個の送信ビームは、
前記受信側が前記Ｇ個の送受信ユニットグループの測定結果に基づいて前記Ｎ個の送信ビームから選択したＱ個の送信ビームを含み、
前記Ｇ個の送信ビームグループは、
前記受信側が前記Ｇ個の送受信ユニットグループの測定結果に基づいて前記Ｑ個の送信ビームを区分したＧ個の送信ビームグループを含む請求項２に記載の方法。
【請求項４】
前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することは、
前記送信側が、前記受信側から送信されたＧ個の送信ビームグループのグループ情報を受信すること、
ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、前記ＩＤ情報は、（i）前記N個の送信ビームのうちのＱ個の送信ビームのビーム番号、(ii)前記N個の送信ビームのうちのＱ個の送信ビームが属する送信ビームグループの情報、及び（iii）前記N個の送信ビームのうちのＱ個の送信ビームが属する送信ビームサブグループの情報を指示するために用いられ、
または、
前記送信側が、前記受信側から送信された前記Ｑ個の送信ビームのビーム区分情報を受信すること、
ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含み、
前記Ｇ個の送信ビームグループに目標送信ビームグループが存在するのであれば、前記目標送信ビームグループには、目標送信ビームを含み、
前記目標送信ビームに対応する受信ビームと、前記目標送信ビームグループ内のほかの送信ビームに対応する受信ビームとは異なり、
前記目標送信ビームのサブグループＩＤは、ヌルであるか所定のＩＤである請求項１に記載の方法。
【請求項５】
送信ビーム特定方法であって、
受信側が、送信側から送信されたＮ（正整数）個の送信ビームのビームトレーニング信号に対し受信および測定を行い、測定結果に基づいて、前記Ｎ個の送信ビームからＱ（正整数）個の送信ビームを選択し、前記Ｑ個の送信ビームをＧ（正整数）個の送信ビームグループに区分することと、
前記送信側が前記Ｑ個の送信ビームのうち異なる送信ビームグループに属する送信ビームで前記受信側に同時に信号を送信できると特定するように、前記受信側は、前記Ｑ個の送信ビームのＩＤ情報および前記Ｑ個の送信ビームのうちの各送信ビームのグループ情報を前記送信側に送信することと、
を含み、
前記受信側が、前記受信側の受信ビーム候補から、前記Ｑ個の送信ビームに対し１つの受信ビームを選択することと、
送信ビームグループ毎に、前記受信側が、当該送信ビームグループのうち、同一の受信ビームに対応する送信ビームを１つの送信ビームサブグループに区分することと、
をさらに含み、
前記受信側が、前記Ｎ個の送信ビームのうちのＱ個の送信ビームのＩＤ情報および前記Ｑ個の送信ビームのうちの各送信ビームのグループ情報を前記送信側に送信することは、
前記受信側が、前記Ｎ個の送信ビームのうちのＱ個の送信ビームのＩＤ情報および前記Ｑ個の送信ビームのうちの各送信ビームのグループ情報とサブグループ情報を前記送信側に送信することを含む送信ビーム特定方法。
【請求項６】
前記受信側が、送信側から送信されたＮ個の送信ビームのビームトレーニング信号に対し受信および測定をすることは、
受信側が、送信側から送信されたＮ個の送信ビームのビームトレーニング信号に対し、Ｇ個の送受信ユニットグループで受信および測定をすることを含み、
ここで、前記Ｇ個の送信ビームグループは、それぞれ前記受信側のＧ個の送受信ユニットグループに対応する請求項５に記載の方法。
【請求項７】
前記受信側が、送信側から送信されたＮ個の送信ビームのビームトレーニング信号に対し、Ｇ個の送受信ユニットグループで受信および測定を行い、測定結果に基づいて前記Ｎ個の送信ビームからＱ個の送信ビームを選択し、前記Ｑ個の送信ビームをＧ個の送信ビームグループに区分することは、
送信側から送信されたＮ個の送信ビームのうちの各送信ビームのビームトレーニング信号に対し、前記受信側が、前記Ｇ個の送受信ユニットグループで受信および測定を行い、前記Ｇ個の送受信ユニットグループの測定結果を得ることと、
ここで、各送受信ユニットグループの測定結果は、当該送受信ユニットグループで前記Ｎ個の送信ビームのビームトレーニング信号に対し受信および測定を行った測定結果を含み、
前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することと、
をさらに含む請求項６に記載の方法。
【請求項８】
前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することは、
前記受信側が、前記Ｇ個の送受信ユニットグループの測定結果から、受信品質が第Ｑ位までのＱ個の測定結果を選択し、前記Ｑ個の測定結果に対応するＱ個の送信ビームを前記Ｎ個の送信ビームから選択し、前記Ｑ個の測定結果において前記Ｑ個の送信ビームに対応する送受信ユニットグループに基づいて、前記Ｑ個の送信ビームをＧ個の送信ビームグループに区分すること、
または、
各送受信ユニットグループの測定結果に対し、前記受信側が、当該送受信ユニットグループの測定結果において受信品質が第Ｑｇ位までのＱｇ個の測定結果を選択してＱ個の測定結果を得ることと、
ここで、異なる送受信ユニットグループに対し、前記Ｑｇは、同一または異なる正整数であり、かつ前記Ｇ個の送信ビームグループに対応するＱｇの和は、前記Ｑであり、
前記受信側が、前記Ｑ個の測定結果に対応するＱ個の送信ビームを前記Ｎ個の送信ビームから選択し、各送受信ユニットグループのＱｇ個の測定結果に対応するＱｇ個の送信ビームを、当該送受信ユニットグループに対応する送信ビームグループに区分することと、
をさらに含む請求項７に記載の方法。
【請求項９】
各送受信ユニットグループは、少なくとも１つの送受信ユニットを含み、かつ各送受信ユニットは、少なくとも１つの受信ビームを含み、
前記の送信側から送信されたＮ個の送信ビームのうちの各送信ビームのビームトレーニング信号に対し、前記受信側が、前記Ｇ個の送受信ユニットグループで受信および測定を行い、前記Ｇ個の送受信ユニットグループの測定結果を得ることは、
送信側から送信されたＮ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得ることと、
ここで、各送受信ユニットグループの測定結果セットは、当該送受信ユニットグループの各受信ビームで前記Ｎ個の送信ビームのビームトレーニング信号に対し受信および測定を行った測定結果を含み、
前記受信側が、前記Ｇ個の送受信ユニットグループの測定結果を前記Ｇ個の送受信ユニットグループの測定結果セットから選択することと、
ここで、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果であり、
を含む請求項７または８に記載の方法。
【請求項１０】
前記受信側が、前記受信側の受信ビーム候補から、前記Ｑ個の送信ビームに対し１つの受信ビームを選択することは、
送信ビーム毎に、前記受信側が、前記受信側のすべての受信ビーム候補による当該送信ビームのビームトレーニング信号の測定結果を取得し、取得した測定結果のうち、最大受信品質の測定結果に対応する受信ビームを、当該送信ビームの受信ビームとすることを含む請求項５に記載の方法。
【請求項１１】
前記受信側が、前記Ｎ個の送信ビームのうちのＱ個の送信ビームのＩＤ情報および前記Ｑ個の送信ビームのうちの各送信ビームのグループ情報とサブグループ情報を前記送信側に送信することは、
前記受信側が、Ｇ個の送信ビームグループのグループ情報を前記送信側に送信することと、
ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、前記ＩＤ情報は、（i）前記N個の送信ビームのうちのＱ個の送信ビームのビーム番号、(ii)前記N個の送信ビームのうちのＱ個の送信ビームが属する送信ビームグループの情報、及び（iii）前記N個の送信ビームのうちのＱ個の送信ビームが属する送信ビームサブグループの情報を指示するために用いられ、
または、
前記受信側が、前記Ｑ個の送信ビームのビーム区分情報を前記送信側に送信することと、
ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含み、
前記Ｇ個の送信ビームグループに目標送信ビームグループが存在するのであれば、前記目標送信ビームグループには、目標送信ビームを含み、
前記目標送信ビームに対応する受信ビームと、前記目標送信ビームグループ内のほかの送信ビームに対応する受信ビームとは異なり、
前記目標送信ビームのサブグループＩＤは、ヌルであるか所定のＩＤである請求項５に記載の方法。
【請求項１２】
送信側機器であって、
Ｎ（正整数）個の送信ビームのビームトレーニング信号を受信側に送信する送信モジュールと、
前記受信側から送信された以下の情報、即ち、前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信する受信モジュールと、
ここで、前記Ｇ個の送信ビームグループは、前記受信側が測定結果に基づいて区分したものであり、前記測定結果は、前記受信側が、前記送信側機器から送信されたビームトレーニング信号に対し受信および測定を行って得た測定結果であり、
前記Ｑ個の送信ビームのうち、異なる送信ビームグループに属する送信ビームで前記受信側に同時に信号を送信できると特定する第１特定モジュールと、
を含み、
前記受信モジュールは、前記受信側から送信された前記Ｎ個の送信ビームのうちのＱ個の送信ビームのＩＤ情報、および前記Ｑ個の送信ビームのうちの各送信ビームのグループ情報とサブグループ情報を受信するためにさらに用いられ、ここで、各送信ビームグループのうち、同一の受信ビームに対応する送信ビームは、１つの送信ビームサブグループに区分され、
前記送信側機器において、
前記Ｑ個の送信ビームのうち、同一の送信ビームサブグループに属する送信ビームで前記受信側に同時に信号を送信できると特定する第２特定モジュールをさらに含む、送信側機器。
【請求項１３】
受信側機器であって、
送信側から送信されたＮ（正整数）個の送信ビームのビームトレーニング信号に対し受信および測定を行い、測定結果に基づいて、前記Ｎ個の送信ビームからＱ（正整数）個の送信ビームを選択し、前記Ｑ個の送信ビームをＧ（正整数）個の送信ビームグループに区分する測定モジュールと、
前記送信側が前記Ｑ個の送信ビームのうち異なる送信ビームグループに属する送信ビームで前記受信側機器に同時に信号を送信できると特定するように、前記Ｑ個の送信ビームのＩＤ情報および前記Ｑ個の送信ビームのうちの各送信ビームのグループ情報を前記送信側に送信する送信モジュールと、
前記受信側の受信ビーム候補から、前記Ｑ個の送信ビームに対し１つの受信ビームを選択する選択モジュールと、
送信ビームグループ毎に、当該送信ビームグループのうち、同一の受信ビームに対応する送信ビームを１つの送信ビームサブグループに区分する区分モジュールと、
を含み、
前記送信モジュールは、
前記Ｎ個の送信ビームのうちのＱ個の送信ビームのＩＤ情報および前記Ｑ個の送信ビームのうちの各送信ビームのグループ情報とサブグループ情報を前記送信側に送信するためにさらに用いられる、受信側機器。 
【発明の詳細な説明】
【技術分野】
【０００１】
本願は、２０１７年３月１７日に中国特許庁に提出された中国特許出願２０１７１０１６０１７７．１の優先権を主張し、その全ての内容が援用によりここに取り込まれる。
【０００２】
本開示は、通信技術分野に係り、特に送信ビーム特定方法、送信側および受信側に係る。
【背景技術】
【０００３】
現在の通信システムにおいて、受信側に１つまたは複数の送受信ユニットを有してもよく、例えばＵＥに１つまたは複数の送受信ユニットを有してもよい。しかし、受信側の送受信ユニットが１つであっても複数であっても、送信側から複数の送信ビームで信号を送信する際に、受信側において、当該複数の送信ビームのうちの一部またはすべての送信ビームで送信された信号の同時受信がサポートされる。例えば、基地局から３つの送信ビームでＵＥに信号を送信する場合、ＵＥは、当該３つの送信ビームのうちの１つ、２つまたは３つの送信ビームで送信された信号を同時に受信する可能性がある。しかし、現在の通信システムにおいて、送信側は、同時に信号を送信してかつ受信側による同時受信が可能な送信ビームの特定ができない。そのため、一部の送信ビームで送信された信号が受信側によって受信できない場合が存在する可能性があり、伝送リソースの無駄遣いになる。送信側から受信側に同時に信号を送信できる送信ビームを特定することは、解決を急がれる技術問題になっていることが分かる。
【発明の概要】
【発明が解決しようとする課題】
【０００４】
本開示の目的は、送信側から受信側に同時に信号を送信できる送信ビームを特定するという問題を解決するために、送信ビーム特定方法、送信側および受信側を提供することにある。
【課題を解決するための手段】
【０００５】
上記の目的を達成するために、本開示の実施例は、送信ビーム特定方法を提供する。
送信側が、Ｎ（正整数）個の送信ビームのビームトレーニング信号を受信側に送信することと、
前記送信側が、前記受信側から送信された前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信することと、
ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果であり、
前記送信側が、前記Ｑ個の送信ビームのうち、異なる送信ビームグループに属する送信ビームで前記受信側に同時に信号を送信できると特定することと、
を含む送信ビーム特定方法。
【０００６】
選択可能に、前記Ｇ個の送信ビームグループは、それぞれ前記受信側のＧ個の送受信ユニットグループに対応する。
【０００７】
選択可能に、前記測定結果は、
前記受信側が、前記Ｎ個の送信ビームのうちの各送信ビームのビームトレーニング信号に対し、前記Ｇ個の送受信ユニットグループで受信および測定を行って得た前記Ｇ個の送受信ユニットグループの測定結果を含み、ここで、各送受信ユニットグループの測定結果は、当該送受信ユニットグループで前記Ｎ個の送信ビームのビームトレーニング信号に対し受信および測定を行った測定結果を含み、
前記Ｑ個の送信ビームは、
前記受信側が前記Ｇ個の送受信ユニットグループの測定結果に基づいて前記Ｎ個の送信ビームから選択したＱ個の送信ビームを含み、
前記Ｇ個の送信ビームグループは、
前記受信側が前記Ｇ個の送受信ユニットグループの測定結果に基づいて前記Ｑ個の送信ビームを区分したＧ個の送信ビームグループを含む。
【０００８】
選択可能に、前記Ｑ個の送信ビームは、
前記受信側が、前記Ｇ個の送受信ユニットグループの測定結果から、受信品質が第Ｑ位までのＱ個の測定結果を選択し、前記Ｎ個の送信ビームから選択した前記Ｑ個の測定結果に対応するＱ個の送信ビームを含み、
前記Ｇ個の送信ビームグループは、
前記受信側が、前記Ｑ個の測定結果において前記Ｑ個の送信ビームに対応する送受信ユニットグループに基づいて、前記Ｑ個の送信ビームを区分したＧ個の送信ビームグループを含む。
【０００９】
選択可能に、前記Ｑ個の送信ビームは、
前記受信側が、各送受信ユニットグループの測定結果に対し、当該送受信ユニットグループの測定結果において受信品質が第Ｑｇ位までのＱｇ個の測定結果を選択してＱ個の測定結果を得、前記Ｎ個の送信ビームから選択した前記Ｑ個の測定結果に対応するＱ個の送信ビームを含み、ここで、異なる送受信ユニットグループに対し、前記Ｑｇは、同一または異なる正整数であり、かつ前記Ｇ個の送信ビームグループに対応するＱｇの和は、前記Ｑであり、
前記Ｇ個の送信ビームグループは、
前記受信側が、各送受信ユニットグループのＱｇ個の測定結果に対応するＱｇ個の送信ビームを、当該送受信ユニットグループに対応する送信ビームグループに区分して得たＧ個の送信ビームグループを含む。
【００１０】
選択可能に、前記受信側において、各送受信ユニットグループは、少なくとも１つの送受信ユニットを含み、かつ各送受信ユニットは、少なくとも１つの受信ビームを含み、
前記Ｇ個の送受信ユニットグループの測定結果は、
前記Ｎ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得、前記Ｇ個の送受信ユニットグループの測定結果セットから選択した前記Ｇ個の送受信ユニットグループの測定結果を含み、ここで、各送受信ユニットグループの測定結果セットは、当該送受信ユニットグループの各受信ビームで前記Ｎ個の送信ビームのビームトレーニング信号に対し受信および測定を行った測定結果を含み、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果である。
【００１１】
選択可能に、前記送信側が、前記受信側から送信された前記Ｎ個の送信ビームのうちのＱ個の送信ビームのＩＤ情報、および前記Ｑ個の送信ビームのうちの各送信ビームのグループ情報を受信することは、
前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することを含み、ここで、各送信ビームグループのうち、同一の受信ビームに対応する送信ビームは、１つの送信ビームサブグループに区分され、
前記方法において、
前記送信側が、前記Ｑ個の送信ビームのうち、同一の送信ビームサブグループに属する送信ビームで前記受信側に同時に信号を送信できると特定することをさらに含む。
【００１２】
選択可能に、各送信ビームに対応する受信ビームは、
前記受信側のすべての受信ビーム候補による当該送信ビームのビームトレーニング信号の測定結果のうち、最大受信品質の測定結果に対応する受信ビームを含む。
【００１３】
選択可能に、前記送信側が、前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することは、
前記送信側が、前記受信側から送信されたＧ個の送信ビームグループのグループ情報を受信すること、
ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、
または、
前記送信側が、前記受信側から送信された前記Ｑ個の送信ビームのビーム区分情報を受信すること、
ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含み、
を含む。
【００１４】
選択可能に、前記Ｇ個の送信ビームグループに目標送信ビームグループが存在するのであれば、前記目標送信ビームグループには、目標送信ビームを含み、
前記目標送信ビームに対応する受信ビームと、前記目標送信ビームグループ内のほかの送信ビームに対応する受信ビームとは異なり、
前記目標送信ビームのサブグループＩＤは、ヌルであるか所定のＩＤである。
【００１５】
本開示の実施例は、送信ビーム特定方法をさらに提供する。
受信側が、送信側から送信されたＮ（正整数）個の送信ビームのビームトレーニング信号に対し受信および測定を行い、測定結果に基づいて、前記Ｎ個の送信ビームからＱ（正整数）個の送信ビームを選択し、前記Ｑ個の送信ビームをＧ（正整数）個の送信ビームグループに区分することと、
前記送信側が前記Ｑ個の送信ビームのうち異なる送信ビームグループに属する送信ビームで前記受信側に同時に信号を送信できると特定するように、前記受信側は、前記Ｑ個の送信ビームのＩＤ情報および前記Ｑ個の送信ビームのうちの各送信ビームのグループ情報を前記送信側に送信することと、
を含む送信ビーム特定方法。
【００１６】
選択可能に、前記受信側が、送信側から送信されたＮ個の送信ビームのビームトレーニング信号に対し受信および測定をすることは、
受信側が、送信側から送信されたＮ個の送信ビームのビームトレーニング信号に対し、Ｇ個の送受信ユニットグループで受信および測定をすることを含み、
ここで、前記Ｇ個の送信ビームグループは、それぞれ前記受信側のＧ個の送受信ユニットグループに対応する。
【００１７】
選択可能に、前記受信側が、送信側から送信されたＮ個の送信ビームのビームトレーニング信号に対し、Ｇ個の送受信ユニットグループで受信および測定を行い、測定結果に基づいて前記Ｎ個の送信ビームからＱ個の送信ビームを選択し、前記Ｑ個の送信ビームをＧ個の送信ビームグループに区分することは、
送信側から送信されたＮ個の送信ビームのうちの各送信ビームのビームトレーニング信号に対し、前記受信側が、前記Ｇ個の送受信ユニットグループで受信および測定を行い、前記Ｇ個の送受信ユニットグループの測定結果を得ることと、
ここで、各送受信ユニットグループの測定結果は、当該送受信ユニットグループで前記Ｎ個の送信ビームのビームトレーニング信号に対し受信および測定を行った測定結果を含み、
前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することと、
をさらに含む。
【００１８】
選択可能に、前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することは、
前記受信側が、前記Ｇ個の送受信ユニットグループの測定結果から、受信品質が第Ｑ位までのＱ個の測定結果を選択し、前記Ｑ個の測定結果に対応するＱ個の送信ビームを前記Ｎ個の送信ビームから選択し、前記Ｑ個の測定結果において前記Ｑ個の送信ビームに対応する送受信ユニットグループに基づいて、前記Ｑ個の送信ビームをＧ個の送信ビームグループに区分することを含む。
【００１９】
選択可能に、前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することは、
各送受信ユニットグループの測定結果に対し、前記受信側が、当該送受信ユニットグループの測定結果において受信品質が第Ｑｇ位までのＱｇ個の測定結果を選択してＱ個の測定結果を得ることと、
ここで、異なる送受信ユニットグループに対し、前記Ｑｇは、同一または異なる正整数であり、かつ前記Ｇ個の送信ビームグループに対応するＱｇの和は、前記Ｑであり、
前記受信側が、前記Ｑ個の測定結果に対応するＱ個の送信ビームを前記Ｎ個の送信ビームから選択し、各送受信ユニットグループのＱｇ個の測定結果に対応するＱｇ個の送信ビームを、当該送受信ユニットグループに対応する送信ビームグループに区分することと、
をさらに含む。
【００２０】
選択可能に、各送受信ユニットグループは、少なくとも１つの送受信ユニットを含み、かつ各送受信ユニットは、少なくとも１つの受信ビームを含み、
前記の送信側から送信されたＮ個の送信ビームのうちの各送信ビームのビームトレーニング信号に対し、前記受信側が、前記Ｇ個の送受信ユニットグループで受信および測定を行い、前記Ｇ個の送受信ユニットグループの測定結果を得ることは、
送信側から送信されたＮ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得ることと、
ここで、各送受信ユニットグループの測定結果セットは、当該送受信ユニットグループの各受信ビームで前記Ｎ個の送信ビームのビームトレーニング信号に対し受信および測定を行った測定結果を含み、
前記受信側が、前記Ｇ個の送受信ユニットグループの測定結果を前記Ｇ個の送受信ユニットグループの測定結果セットから選択することと、
ここで、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果であり、
を含む。
【００２１】
選択可能に、前記受信側が、前記受信側の受信ビーム候補から、前記Ｑ個の送信ビームに対し１つの受信ビームを選択することと、
送信ビームグループ毎に、前記受信側が、当該送信ビームグループのうち、同一の受信ビームに対応する送信ビームを１つの送信ビームサブグループに区分することと、
を含み、
前記受信側が、前記Ｎ個の送信ビームのうちのＱ個の送信ビームのＩＤ情報および前記Ｑ個の送信ビームのうちの各送信ビームのグループ情報を前記送信側に送信することは、
前記受信側が、前記Ｎ個の送信ビームのうちのＱ個の送信ビームのＩＤ情報および前記Ｑ個の送信ビームのうちの各送信ビームのグループ情報とサブグループ情報を前記送信側に送信することを含む。
【００２２】
選択可能に、前記受信側が、前記受信側の受信ビーム候補から、前記Ｑ個の送信ビームに対し１つの受信ビームを選択することは、
送信ビーム毎に、前記受信側が、前記受信側のすべての受信ビーム候補による当該送信ビームのビームトレーニング信号の測定結果を取得し、取得した測定結果のうち、最大受信品質の測定結果に対応する受信ビームを、当該送信ビームの受信ビームとすることを含む。
【００２３】
選択可能に、前記受信側が、前記Ｎ個の送信ビームのうちのＱ個の送信ビームのＩＤ情報および前記Ｑ個の送信ビームのうちの各送信ビームのグループ情報とサブグループ情報を前記送信側に送信することは、
前記受信側が、Ｇ個の送信ビームグループのグループ情報を前記送信側に送信することと、
ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、
または、
前記受信側が、前記Ｑ個の送信ビームのビーム区分情報を前記送信側に送信することと、
ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含み、
を含む。
【００２４】
選択可能に、前記Ｇ個の送信ビームグループに目標送信ビームグループが存在するのであれば、前記目標送信ビームグループには、目標送信ビームを含み、
前記目標送信ビームに対応する受信ビームと、前記目標送信ビームグループ内のほかの送信ビームに対応する受信ビームとは異なり、
前記目標送信ビームのサブグループＩＤは、ヌルであるか所定のＩＤである。
【００２５】
本開示の実施例は、端末側をさらに提供する。
Ｎ（正整数）個の送信ビームのビームトレーニング信号を受信側に送信する送信モジュールと、
前記受信側から送信された前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信する受信モジュールと、
ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果であり、
前記Ｑ個の送信ビームのうち、異なる送信ビームグループに属する送信ビームで前記受信側に同時に信号を送信できると特定する第１特定モジュールと、
を含む送信側。
【００２６】
選択可能に、前記Ｇ個の送信ビームグループは、それぞれ前記受信側のＧ個の送受信ユニットグループに対応する。
【００２７】
選択可能に、前記測定結果は、
前記受信側が、前記Ｎ個の送信ビームのうちの各送信ビームのビームトレーニング信号に対し、前記Ｇ個の送受信ユニットグループで受信および測定を行って得た前記Ｇ個の送受信ユニットグループの測定結果を含み、ここで、各送受信ユニットグループの測定結果は、当該送受信ユニットグループで前記Ｎ個の送信ビームのビームトレーニング信号に対し受信および測定を行った測定結果を含み、
前記Ｑ個の送信ビームは、
前記受信側が前記Ｇ個の送受信ユニットグループの測定結果に基づいて前記Ｎ個の送信ビームから選択したＱ個の送信ビームを含み、
前記Ｇ個の送信ビームグループは、
前記受信側が前記Ｇ個の送受信ユニットグループの測定結果に基づいて前記Ｑ個の送信ビームを区分したＧ個の送信ビームグループを含む。
【００２８】
選択可能に、前記Ｑ個の送信ビームは、
前記受信側が、前記Ｇ個の送受信ユニットグループの測定結果から、受信品質が第Ｑ位までのＱ個の測定結果を選択し、前記Ｎ個の送信ビームから選択した前記Ｑ個の測定結果に対応するＱ個の送信ビームを含み、
前記Ｇ個の送信ビームグループは、
前記受信側が、前記Ｑ個の測定結果において前記Ｑ個の送信ビームに対応する送受信ユニットグループに基づいて、前記Ｑ個の送信ビームを区分したＧ個の送信ビームグループを含む。
【００２９】
選択可能に、前記Ｑ個の送信ビームは、
前記受信側が、各送受信ユニットグループの測定結果に対し、当該送受信ユニットグループの測定結果において受信品質が第Ｑｇ位までのＱｇ個の測定結果を選択してＱ個の測定結果を得、前記Ｎ個の送信ビームから選択した前記Ｑ個の測定結果に対応するＱ個の送信ビームを含み、ここで、異なる送受信ユニットグループに対し、前記Ｑｇは、同一または異なる正整数であり、かつ前記Ｇ個の送信ビームグループに対応するＱｇの和は、前記Ｑであり、
前記Ｇ個の送信ビームグループは、
前記受信側が、各送受信ユニットグループのＱｇ個の測定結果に対応するＱｇ個の送信ビームを、当該送受信ユニットグループに対応する送信ビームグループに区分して得たＧ個の送信ビームグループを含む。
【００３０】
選択可能に、前記受信側において、各送受信ユニットグループは、少なくとも１つの送受信ユニットを含み、かつ各送受信ユニットは、少なくとも１つの受信ビームを含み、
前記Ｇ個の送受信ユニットグループの測定結果は、
前記Ｎ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得、前記Ｇ個の送受信ユニットグループの測定結果セットから選択した前記Ｇ個の送受信ユニットグループの測定結果を含み、ここで、各送受信ユニットグループの測定結果セットは、当該送受信ユニットグループの各受信ビームで前記Ｎ個の送信ビームのビームトレーニング信号に対し受信および測定を行った測定結果を含み、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果である。
【００３１】
選択可能に、前記受信モジュールは、
前記受信側から送信された前記Ｎ個の送信ビームのうちのＱ個の送信ビームのＩＤ情報、および前記Ｑ個の送信ビームのうちの各送信ビームのグループ情報とサブグループ情報を受信し、ここで、各送信ビームグループのうち、同一の受信ビームに対応する送信ビームは、１つの送信ビームサブグループに区分され、
前記送信側において、
前記Ｑ個の送信ビームのうち、同一の送信ビームサブグループに属する送信ビームで前記受信側に同時に信号を送信できると特定する第２特定モジュールをさらに含む。
【００３２】
選択可能に、各送信ビームに対応する受信ビームは、
前記受信側のすべての受信ビーム候補による当該送信ビームのビームトレーニング信号の測定結果のうち、最大受信品質の測定結果に対応する受信ビームを含む。
【００３３】
選択可能に、前記受信モジュールは、
前記受信側から送信されたＧ個の送信ビームグループのグループ情報を受信し、ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、
または、
前記受信モジュールは、
前記受信側から送信された前記Ｑ個の送信ビームのビーム区分情報を受信し、ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含む。
【００３４】
選択可能に、前記Ｇ個の送信ビームグループに目標送信ビームグループが存在するのであれば、前記目標送信ビームグループには、目標送信ビームを含み、
前記目標送信ビームに対応する受信ビームと、前記目標送信ビームグループ内のほかの送信ビームに対応する受信ビームとは異なり、
前記目標送信ビームのサブグループＩＤは、ヌルであるか所定のＩＤである。
【００３５】
本開示の実施例は、受信側をさらに提供する。当該受信側は、
送信側から送信されたＮ（正整数）個の送信ビームのビームトレーニング信号に対し受信および測定を行い、測定結果に基づいて、前記Ｎ個の送信ビームからＱ（正整数）個の送信ビームを選択し、前記Ｑ個の送信ビームをＧ（正整数）個の送信ビームグループに区分する測定モジュールと、
前記送信側が前記Ｑ個の送信ビームのうち異なる送信ビームグループに属する送信ビームで前記受信側に同時に信号を送信できると特定するように、前記Ｑ個の送信ビームのＩＤ情報および前記Ｑ個の送信ビームのうちの各送信ビームのグループ情報を前記送信側に送信する送信モジュールと、
を含む。
【００３６】
選択可能に、前記測定モジュールは、
送信側から送信されたＮ個の送信ビームのビームトレーニング信号に対し、Ｇ個の送受信ユニットグループで受信および測定を行い、測定結果に基づいて前記Ｎ個の送信ビームからＱ個の送信ビームを選択し、前記Ｑ個の送信ビームをＧ個の送信ビームグループに区分し、
ここで、前記Ｇ個の送信ビームグループは、それぞれ前記受信側のＧ個の送受信ユニットグループに対応する請求項２３に記載の受信側。
【００３７】
選択可能に、前記測定モジュールは、
送信側から送信されたＮ個の送信ビームのうちの各送信ビームのビームトレーニング信号に対し、前記Ｇ個の送受信ユニットグループで受信および測定を行い、前記Ｇ個の送受信ユニットグループの測定結果を得る測定ユニットと、
ここで、各送受信ユニットグループの測定結果は、当該送受信ユニットグループで前記Ｎ個の送信ビームのビームトレーニング信号に対し受信および測定を行った測定結果を含み、
前記Ｇ個の送受信ユニットグループの測定結果に基づいて前記Ｎ個の送信ビームからＱ個の送信ビームを選択し、前記Ｑ個の送信ビームをＧ個の送信ビームグループに区分する選択ユニットと、
をさらに含む。
【００３８】
選択可能に、前記選択ユニットは、
前記Ｇ個の送受信ユニットグループの測定結果から、受信品質が第Ｑ位までのＱ個の測定結果を選択し、前記Ｑ個の測定結果に対応するＱ個の送信ビームを前記Ｎ個の送信ビームから選択し、前記Ｑ個の測定結果において前記Ｑ個の送信ビームに対応する送受信ユニットグループに基づいて、前記Ｑ個の送信ビームをＧ個の送信ビームグループに区分する。
【００３９】
選択可能に、前記選択ユニットは、
各送受信ユニットグループの測定結果に対し、当該送受信ユニットグループの測定結果において受信品質が第Ｑｇ位までのＱｇ個の測定結果を選択してＱ個の測定結果を得る第１選択サブユニットと、
ここで、異なる送受信ユニットグループに対し、前記Ｑｇは、同一または異なる正整数であり、かつ前記Ｇ個の送信ビームグループに対応するＱｇの和は、前記Ｑであり、
前記Ｑ個の測定結果に対応するＱ個の送信ビームを前記Ｎ個の送信ビームから選択し、各送受信ユニットグループのＱｇ個の測定結果に対応するＱｇ個の送信ビームを、当該送受信ユニットグループに対応する送信ビームグループに区分する第２選択サブユニットと、
をさらに含む請求項２５に記載の受信側。
【００４０】
選択可能に、各送受信ユニットグループは、少なくとも１つの送受信ユニットを含み、かつ各送受信ユニットは、少なくとも１つの受信ビームを含み、
前記測定ユニットは、
送信側から送信されたＮ個の送信ビームのうちの各送信ビームのビームトレーニング信号に対し、前記Ｇ個の送受信ユニットグループの各受信ビームで受信および測定を行い、前記Ｇ個の送受信ユニットグループの測定結果セットを得る測定サブユニットと、
ここで、各送受信ユニットグループの測定結果セットは、当該送受信ユニットグループの各受信ビームで前記Ｎ個の送信ビームのビームトレーニング信号に対し受信および測定を行った測定結果を含み、
前記Ｇ個の送受信ユニットグループの測定結果を前記Ｇ個の送受信ユニットグループの測定結果セットから選択する第３選択サブユニットと、
ここで、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果であり、
をさらに含む。
【００４１】
選択可能に、前記受信側の受信ビーム候補から、前記Ｑ個の送信ビームに対し１つの受信ビームを選択する選択モジュールと、
送信ビームグループ毎に、当該送信ビームグループのうち、同一の受信ビームに対応する送信ビームを１つの送信ビームサブグループに区分する区分モジュールと、
をさらに含み、
前記送信モジュールは、
前記Ｎ個の送信ビームのうちのＱ個の送信ビームのＩＤ情報および前記Ｑ個の送信ビームのうちの各送信ビームのグループ情報とサブグループ情報を前記送信側に送信する。
【００４２】
選択可能に、前記選択モジュールは、
送信ビーム毎に、前記受信側のすべての受信ビーム候補による当該送信ビームのビームトレーニング信号の測定結果を取得し、取得した測定結果のうち、最大受信品質の測定結果に対応する受信ビームを、当該送信ビームの受信ビームとする。
【００４３】
選択可能に、前記送信モジュールは、
Ｇ個の送信ビームグループのグループ情報を前記送信側に送信し、ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、
または、
前記送信モジュールは、
前記Ｑ個の送信ビームのビーム区分情報を前記送信側に送信し、ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含む。
【００４４】
選択可能に、前記Ｇ個の送信ビームグループに目標送信ビームグループが存在するのであれば、前記目標送信ビームグループには、目標送信ビームを含み、
前記目標送信ビームに対応する受信ビームと、前記目標送信ビームグループ内のほかの送信ビームに対応する受信ビームとは異なり、
前記目標送信ビームのサブグループＩＤは、ヌルであるか所定のＩＤである。
【００４５】
本開示の実施例は、プロセッサと、トランシーバと、メモリと、ユーザインタフェースと、バスインタフェースとを含む送信側をさらに提供し、前記プロセッサは、前記メモリからプログラムを読み取ることによって、上記の送信側のいずれか１つの送信ビーム特定方法のステップを実現する。
【００４６】
本開示の実施例は、プロセッサと、トランシーバと、メモリと、ユーザインタフェースと、バスインタフェースとを含む受信側をさらに提供し、前記プロセッサは、前記メモリからプログラムを読み取ることによって、上記受信側のいずれか１つの送信ビーム特定方法のステップを実現する。
【００４７】
本開示の実施例は、コンピュータプログラムが記憶されているコンピュータ読み取り可能な記憶媒体をさらに提供し、前記コンピュータプログラムがプロセッサによって実行されると、上記の送信ビーム特定方法のステップが実現される。
【発明の効果】
【００４８】
本開示の実施例において、送信側は、Ｎ（正整数）個の送信ビームのビームトレーニング信号を受信側に送信する。前記送信側は、前記受信側から送信された前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信する。ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果である。前記送信側は、前記Ｑ個の送信ビームのうち、異なる送信ビームグループに属する送信ビームで前記受信側に同時に信号を送信できると特定する。このように、送信側は、前記受信側に同時に信号を送信できる送信ビームを特定できることが実現される。
【図面の簡単な説明】
【００４９】
【図１】本開示の実施例の応用可能なネットワーク構造図である。
【図２】本開示の実施例における送信ビーム特定方法のフローチャートである。
【図３】本開示の実施例における送信信号の概略図である。
【図４】本開示の実施例における別の送信信号の概略図である。
【図５】本開示の実施例における別の送信ビーム特定方法のフローチャートである。
【図６】本開示の実施例における送信側の構造図である。
【図７】本開示の実施例における別の送信側の構造図である。
【図８】本開示の実施例における受信側の構造図である。
【図９】本開示の実施例における別の受信側の構造図である。
【図１０】本開示の実施例における別の受信側の構造図である。
【図１１】本開示の実施例における別の受信側の構造図である。
【図１２】本開示の実施例における別の受信側の構造図である。
【図１３】本開示の実施例における別の送信側の構造図である。
【図１４】本開示の実施例における別の受信側の構造図である。
【発明を実施するための形態】
【００５０】
本開示の解決しようとする技術課題、技術手段および利点をより明確にするために、以下、図面および具体的な実施例を通じて詳細に記載する。
【００５１】
図１を参照する。図１に示す本開示の実施例の応用可能なネットワーク構造図では、送信側１１と受信側１２が含まれている。ここで、送信側１１は、基地局または端末であってもよく、受信側１２も、端末または基地局であってもよい。例えば、送信側１１が基地局であり、受信側１２が端末である場合、端末と基地局との間の通信が実現される。また、送信側１１が端末であり、受信側１２が基地局である場合も、端末と基地局との間の通信が実現される。また、送信側１１が基地局であり、受信側１２も基地局である場合、基地局と基地局との間の通信が実現される。また、送信側１１が端末であり、受信側１２も端末である場合、端末と端末との間の通信が実現される。もちろん、本開示の実施例において、送信側１１を端末のみまたは基地局のみに限定せず、例えば、送信側１１がほかのネットワーク側機器であってもよく、同様に受信側１２も端末のみまたは基地局のみに限定されず、例えば、受信側１２がほかのネットワーク側機器であってもよいが、これについて、本開示の実施例において限定しない。ここで、図１では、送信側１１が基地局であり、受信側１２が端末であることを例として示す。端末は、ユーザ端末ＵＥ（Ｕｓｅｒ  Ｅｑｕｉｐｍｅｎｔ）であってもよく、例えば携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例において、端末の具体的な種類を限定しない。基地局は、例えば、ＬＴＥ  ｅＮＢ、５Ｇ  ＮＲ  ＮＢなどのマクロ基地局や、ｐｉｃｏ、ｆｅｍｔｏなど低電力ノードＬＰＮ（ｌｏｗ  ｐｏｗｅｒ  ｎｏｄｅ）のスモール基地局であり、またはアクセスポイントＡＰ（ａｃｃｅｓｓ  ｐｏｉｎｔ）である。基地局は、中央ユニットＣＵ（ｃｅｎｔｒａｌ  ｕｎｉｔ）およびその管理／制御下の複数の伝送受信ポイントＴＲＰ（Ｔｒａｎｓｍｉｓｓｉｏｎ  Ｒｅｃｅｐｔｉｏｎ  Ｐｏｉｎｔ）からなるネットワークノードであってもよい。また、１つの基地局の配下に１つまたは複数のセル（例えば異なる周波数点またはセクタ分裂）を有する。なお、本開示の実施例において、基地局の具体的な種類を限定しない。
【００５２】
図２を参照する。本開示の実施例は、送信ビーム特定方法を提供し、図２に示すように、以下のステップを含む。
【００５３】
ステップ２０１において、送信側は、Ｎ（正整数）個の送信ビームのビームトレーニング信号を受信側に送信する。
【００５４】
ステップ２０２において、送信側は、前記受信側から送信された前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信する。ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果である。
【００５５】
ステップ２０３において、送信側は、前記Ｑ個の送信ビームのうち、異なる送信ビームグループに属する送信ビームで前記受信側に同時に信号を送信できると特定する。
【００５６】
本開示の実施例において、上記Ｎ個の送信ビームは、送信側のすべてまたは一部の送信ビームである。例えば、上記送信側は、計
【数１】
0006970752.tif 000002
個の送信ビーム候補を有し、各送信ビームが１組のビームフォーミング重み値に対応し、第ｎ個のビームの送信ビームフォーミング重み値は、
【数２】
0006970752.tif 000003
である。ここでＫは、ビームフォーミングのアンテナユニット数であり、送信側のアンテナユニット数より小さい。例えば、１つの送信ビームは、１つの送受信ユニットに接続されたＫ個のアンテナユニットのみから送信される。ここで、上記
【数３】
0006970752.tif 000004
は、上記Ｎ以上であり、かつ上記送信側が基地局である場合、上記送信ビームは、ダウンリンク送信ビームであるが、上記送信側が端末である場合、上記送信ビームは、アップリンク送信ビームである。
【００５７】
上記Ｎ個の送信ビームのビームトレーニング信号は、送信側から送信ビーム毎に１つのビームトレーニング信号を送信する。例えば、
【数４】
0006970752.tif 000005
個のダウンリンク送信ビームに対し、基地局は、
【数５】
0006970752.tif 000006
個のトレーニング信号を送信する。また、上記Ｎ個の送信ビームのビームトレーニング信号は、ＴＤＭ（Ｔｉｍｅ  Ｄｉｖｉｓｉｏｎ  Ｍｕｌｔｉｐｌｅｘｉｎｇ）、ＦＤＭ（Ｆｒｅｑｕｅｎｃｙ  Ｄｉｖｉｓｉｏｎ  Ｍｕｌｔｉｐｌｅｘｉｎｇ）、ＣＤＭ（Ｃｏｄｅ  Ｄｉｖｉｓｉｏｎ  Ｍｕｌｔｉｐｌｅｘｉｎｇ）または各種類の多重化方式の組み合わせで送信されるが、これについて、本開示の実施例において限定しない。例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を基とするシステムにおいて、
【数６】
0006970752.tif 000007
個のトレーニング信号は、
【数７】
0006970752.tif 000008
個のＯＦＤＭシンボルを占め、各トレーニング信号は、１つのＯＦＤＭシンボルを占め、トレーニング信号の間は、ＴＤＭである。１つのＯＦＤＭシンボルで複数のビームのトレーニング信号を送信してもよく、それらの間は、ＦＤＭまたはＣＤＭである。
【００５８】
かつ上記Ｎ個の送信ビームのビームトレーニング信号は、当該ビームに対応するビームフォーミング重み値によってフォーミングされてから送信される。また、ステップ２０１での送信ビームトレーニング信号は、周期的に送信され、または、非周期的に送信される。
【００５９】
送信側からビームトレーニング信号を送信すると、受信側は、送信側から送信されたビームトレーニング信号に対し受信および測定を行う。例えば、受信側は、送信側から送信されたＮ個の送信ビームのビームトレーニング信号に対し受信および測定を行い、測定結果に基づいて前記Ｎ個の送信ビームからＱ（正整数）個の送信ビームを選択し、前記Ｑ個の送信ビームをＧ（正整数）個の送信ビームグループに区分する。
【００６０】
ここで、受信側は、Ｎ個の送信ビームのビームトレーニング信号に対し、受信側のすべてまたは一部の受信ユニットで受信および測定を行う。例えば、受信側は、Ｎ個の送信ビームのうちの各送信ビームのビームトレーニング信号に対し、すべてまたは一部の受信ユニットでそれぞれ受信および測定を行って測定結果を得る。ここで、各測定結果は、対応する送受信ユニットによる各送信ビームのビームトレーニング信号の測定結果を含む。または、受信側は、Ｎ個の送信ビームのビームトレーニング信号に対し、すべてまたは一部の受信ユニットでそれぞれ受信および測定を行って測定結果を得る。ここで、各測定結果は、対応する送受信ユニットによる１つまたは複数の送信ビームのビームトレーニング信号の測定結果を含む。
【００６１】
上記Ｑ個の送信ビームは、上記の受信および測定を行って得た測定結果のうち、受信品質が第Ｑ位までの測定結果に対応する送信ビームであり、または、上記測定結果から一定数の測定結果を選択し、選択した測定結果に対応するＱ個の送信ビームである。なお、同一の送信ビームに対し同一の送受信ユニットで受信および測定を行う可能性があり、かつこれらの測定結果の受信品質がすべて優れる場合、異なる送受信ユニットの測定結果に対し、同じ送信ビームが選択される可能性があり、すなわち上記Ｑ個の送信ビームに同じビームが存在する可能性がある。例えば、送信ビームａに対し、送受信ユニットａと送受信ユニットｂでそれぞれ受信および測定を行い、かつ送受信ユニットａと送受信ユニットｂによる送信ビームａの測定結果の受信品質が、ともに送受信ユニットａと送受信ユニットｂの測定結果のうち最適な測定結果である場合、送受信ユニットａと送受信ユニットｂに対し、ともに送信ビームａが選択される。
【００６２】
また、上記Ｑ個の送信ビームが上記測定結果に基づいて区分されるため、１つの送信ビームは、必ず特定の送受信ユニットまたは特定の送受信ユニットグループに対応する。よって、同じ送受信ユニットまたは送受信ユニットグループに対応する送信ビームを同一の送信ビームグループに区分することができ、すなわち、１つの送信ビームグループは、送受信ユニットまたは送受信ユニットグループに対応する。または、受信側は、同時受信を可能とする送信ビームを１つの送信ビームグループに区分する。
【００６３】
このように、受信側は、Ｑ個の送信ビームを選択し、Ｇ個の送信ビームグループに区分した後に、前記Ｑ個の送信ビームのＩＤ情報および前記Ｑ個の送信ビームのうちの各送信ビームのグループ情報を前記送信側に送信することができる。送信側は、これらの情報を受信すると、各送信ビームの属する送信ビームグループが分かり、さらに、前記Ｑ個の送信ビームのうち、異なる送信ビームグループに属する送信ビームで前記受信側に同時に信号を送信できると特定する。ここで、前記受信側に同時に信号を送信できる送信ビームは、同時に受信側に信号を送信し、かつ信号が受信側によって同時に受信される送信ビームである。すなわち、前記受信側に同時に信号を送信できる送信ビームは、送信された信号の受信側による同時受信が可能な送信ビームと理解してもよい。また、本開示の実施例において、「同時」とは、同一時点（例えば１つのＯＦＤＭシンボル）と理解してもよい。
【００６４】
また、本開示の実施例において、送信側は、前記受信側に同時に信号を送信できる送信ビームを特定すると、同時伝送の送信ビームを柔軟に選択することができ、かつ、これに基づいて、対応する伝送方式を選択することもできる。例えば、前記受信側に同時に信号を送信できる複数の送信ビームで複数の並行データストリームを送信することによって空間分割多重化を実現し、または、１つのデータストリームを、前記受信側に同時に信号を送信できる複数の送信ビームで送信することによって空間ダイバーシティ伝送を実現し、データ伝送効率を向上させる。
【００６５】
また、本開示の実施例において、送信側が基地局であれば、送信ビームは、ダウンリンク送信ビームであるが、送信側が端末であれば、送信ビームは、アップリンク送信ビームである。
【００６６】
選択可能な実施形態として、前記Ｇ個の送信ビームグループは、それぞれ前記受信側のＧ個の送受信ユニットグループに対応する。例えば、受信側は、送信側から送信されたＮ個の送信ビームのビームトレーニング信号に対し、Ｇ個の送受信ユニットグループで受信および測定を行う。
【００６７】
ここで、上記Ｇ個の送受信ユニットグループは、受信側によって予め区分される。区分方式として、受信側が自主的に区分するか、受信側がユーザから入力された操作に基づいて区分するか、受信側が各送受信ユニットの性能に基づいて区分するかの方式が挙げられるが、これについて、本開示の実施例において限定しない。かつ各送受信ユニットグループは、異なるまたは同一数の送受信ユニットを含み、各送受信ユニットグループに少なくとも１つの送受信ユニットを含み、各送受信ユニットグループ内の送受信ユニットは、複数のアンテナユニットに接続される。異なる送受信ユニットグループ内の送受信ユニットは、受信した信号に対し各自にビームフォーミングを行い、ベースバンド処理ユニットに送信して後の計算を行うことができる。
【００６８】
送信側から送信されたＮ個の送信ビームのビームトレーニング信号に対し、上記受信側がＧ個の送受信ユニットグループで受信および測定を行うことは、受信側が、Ｎ個の送信ビームのうちの各送信ビームのビームトレーニング信号に対し、Ｇ個の送受信ユニットグループでそれぞれ受信および測定を行ってＧ個の測定結果を得ることである。ここで、各測定結果は、対応する送受信ユニットグループによる各送信ビームのビームトレーニング信号の測定結果を含む。例えば、上記Ｇが２であり、上記Ｎが４である場合、２つの測定結果が得られ、各測定結果は、４つの送信ビームに対する測定結果を含む。または、受信側は、Ｎ個の送信ビームのビームトレーニング信号に対し、Ｇ個の送受信ユニットグループでそれぞれ受信および測定を行ってＧ個の測定結果を得る。ここで、各測定結果は、対応する送受信ユニットグループによる１つまたは複数の送信ビームのビームトレーニング信号の測定結果を含む。
【００６９】
上記Ｑ個の送信ビームは、上記の受信および測定を行って得た測定結果のうち、受信品質が第Ｑ位までの測定結果に対応する送信ビームであり、または、上記Ｇ個の送受信ユニットグループの各送受信ユニットグループに対応する測定結果から一定数の測定結果を選択し、選択した測定結果に対応するＱ個の送信ビームである。なお、同一の送信ビームに対し同一の送受信ユニットで受信および測定を行う可能性があり、かつこれらの測定結果の受信品質がすべて優れる場合、異なる送受信ユニットグループの測定結果に対し、同じ送信ビームが選択される可能性があり、すなわち上記Ｑ個の送信ビームに同じビームが存在する可能性がある。例えば、送信ビームａに対し、送受信ユニットグループａと送受信ユニットグループｂでそれぞれ受信および測定を行い、かつ送受信ユニットグループａと送受信ユニットグループｂによる送信ビームａの測定結果の受信品質が、ともに送受信ユニットグループａと送受信ユニットグループｂの測定結果のうち最適な測定結果である場合、送受信ユニットグループａと送受信ユニットグループｂに対し、ともに送信ビームａが選択される。
【００７０】
また、上記Ｑ個の送信ビームが上記Ｇ個の送受信ユニットグループの測定結果に基づいて区分されるため、１つの送信ビームは、必ず１つの送受信ユニットグループに対応する。よって、同じ送受信ユニットグループに対応する送信ビームを同一の送信ビームグループに区分することができ、すなわち、１つの送信ビームグループは、１つの送受信ユニットグループに対応する。
【００７１】
当該実施形態において、Ｇ個の送信ビームグループがそれぞれ前記受信側のＧ個の送受信ユニットグループに対応するため、異なる送信ビームグループに属する送信ビームで信号を送信する場合、受信側によって同時に受信されやすく、データ伝送効率が向上する。
【００７２】
なお、本開示の実施例において、受信側がＧ個の送受信ユニットグループで受信および測定を行うことに限定しない。例えば、受信側は、送受信ユニット単位で受信および測定を行い、当該測定結果に基づいて、送受信ユニットに対応する送信ビームグループを選択する。すなわち、１つの送信ビームグループは、１つの送信ユニットに対応する。このように、同様に、異なる送信ビームグループに属する送信ビームで受信側に同時に信号を送信する場合、受信側によって同時に受信されることが実現される。
【００７３】
選択可能に、上記実施形態において、前記測定結果は、前記受信側が、前記Ｎ個の送信ビームのうちの各送信ビームのビームトレーニング信号に対し、前記Ｇ個の送受信ユニットグループで受信および測定を行って得た前記Ｇ個の送受信ユニットグループの測定結果を含み、ここで、各送受信ユニットグループの測定結果は、当該送受信ユニットグループで前記Ｎ個の送信ビームのビームトレーニング信号に対し受信および測定を行った測定結果を含む。
前記Ｑ個の送信ビームは、前記受信側が前記Ｇ個の送受信ユニットグループの測定結果に基づいて前記Ｎ個の送信ビームから選択したＱ個の送信ビームを含む。
前記Ｇ個の送信ビームグループは、前記受信側が前記Ｇ個の送受信ユニットグループの測定結果に基づいて前記Ｑ個の送信ビームを区分したＧ個の送信ビームグループを含む。
【００７４】
当該実施形態において、上記Ｑ個の送信ビームは、前記Ｇ個の送受信ユニットグループの測定結果に基づいて選択され、かつ上記Ｇ個の送信ビームグループも、前記Ｇ個の送受信ユニットグループの測定結果に基づいて区分されることが実現される。各送受信ユニットグループの測定結果は、当該送受信ユニットグループでＮ個の送信ビームのビームトレーニング信号に対し受信および測定を行った測定結果を含み、すなわち各送受信ユニットグループによってすべての送信ビームのビームトレーニング信号に対し受信および測定を行うため、より全面的な測定結果となり、より好適なＱ個の送信ビームが選択される。
例えば、前記受信側は、送信側から送信されたＮ個の送信ビームのうちの各送信ビームのビームトレーニング信号に対し、前記Ｇ個の送受信ユニットグループで受信および測定を行って、前記Ｇ個の送受信ユニットグループの測定結果を得る。
前記受信側は、さらに、前記Ｇ個の送受信ユニットグループの測定結果に基づいて前記Ｎ個の送信ビームからＱ個の送信ビームを選択し、前記Ｑ個の送信ビームをＧ個の送信ビームグループに区分する。
【００７５】
ここで、上記の送信側から送信されたＮ個の送信ビームのうちの各送信ビームのビームトレーニング信号に対し、前記受信側が前記Ｇ個の送受信ユニットグループで受信および測定を行うことは、各送信ビームのビームトレーニング信号に対し、Ｇ個の送受信ユニットグループで受信および測定を行い、すなわち各送受信ユニットグループによって、すべての送信ビームのビームトレーニング信号に対し受信および測定を行う。
【００７６】
選択可能に、当該実施形態において、前記Ｑ個の送信ビームは、前記受信側が、前記Ｇ個の送受信ユニットグループの測定結果から、受信品質が第Ｑ位までのＱ個の測定結果を選択し、前記Ｎ個の送信ビームから選択した前記Ｑ個の測定結果に対応するＱ個の送信ビームを含む。
前記Ｇ個の送信ビームグループは、前記受信側が、前記Ｑ個の測定結果において前記Ｑ個の送信ビームに対応する送受信ユニットグループに基づいて、前記Ｑ個の送信ビームを区分したＧ個の送信ビームグループを含む。
【００７７】
当該実施形態において、受信品質が第Ｑ位までのＱ個の測定結果に対応するＱ個の送信ビームが選択され、送信ビームの受信品質が維持され、データ伝送品質が向上する。例えば、受信側は、前記Ｇ個の送受信ユニットグループの測定結果から、受信品質が第Ｑ位までのＱ個の測定結果を選択し、前記Ｑ個の測定結果に対応するＱ個の送信ビームを前記Ｎ個の送信ビームから選択し、前記Ｑ個の測定結果において前記Ｑ個の送信ビームに対応する送受信ユニットグループに基づいて、前記Ｑ個の送信ビームをＧ個の送信ビームグループに区分する。
【００７８】
受信側に２つの送受信ユニットグループを有し、送信側に４つのダウンリンク送信ビームを有するとすると、受信側に計８つの測定値を有する。測定結果は、以下の表のように示される（単位：ｄＢｍ）。
【００７９】
【表１】
0006970752.tif 000009
【００８０】
Ｑ＝４とすると、受信品質が最大である４つの送信ビームは、それぞれ、ダウンリンク送信ビーム３（送受信ユニットグループ１）、ダウンリンク送信ビーム２（送受信ユニットグループ１）、ダウンリンク送信ビーム１（送受信ユニットグループ１）、ダウンリンク送信ビーム３（送受信ユニットグループ２）である。ここで、ダウンリンク送信ビーム３は、２回出ており、それぞれ送受信ユニットグループ１、送受信ユニットグループ２に対応する。すなわち、受信を行う送受信ユニットグループが複数あるため、本開示の実施例において、Ｑ個の送信ビームには、重複な送信ビームが存在する可能性がある。
【００８１】
すると、Ｇ個の送信ビームグループは、以下の２組に分けられる。
送受信ユニットグループ１に対応する第１組のうちのビームは、ダウンリンク送信ビーム３、ダウンリンク送信ビーム２、ダウンリンク送信ビーム１である。
送受信ユニットグループ２に対応する第２組のうちのビームは、ダウンリンク送信ビーム３である。
【００８２】
選択可能に、上記実施形態において、前記Ｑ個の送信ビームは、前記受信側が、各送受信ユニットグループの測定結果に対し、当該送受信ユニットグループの測定結果において受信品質が第Ｑｇ位までのＱｇ個の測定結果を選択してＱ個の測定結果を得、前記Ｎ個の送信ビームから選択した前記Ｑ個の測定結果に対応するＱ個の送信ビームを含む。ここで、異なる送受信ユニットグループに対し、前記Ｑｇは、同一または異なる正整数であり、かつ前記Ｇ個の送信ビームグループに対応するＱｇの和は、前記Ｑである。
前記Ｇ個の送信ビームグループは、前記受信側が、各送受信ユニットグループのＱｇ個の測定結果に対応するＱｇ個の送信ビームを、当該送受信ユニットグループに対応する送信ビームグループに区分して得たＧ個の送信ビームグループを含む。
【００８３】
当該実施形態において、各送受信ユニットグループでＱｇ個の測定結果を選択してＱ個の測定結果を得ることが実現される。このように、送受信ユニットグループ毎に、最適な受信品質であるＱｇ個の測定結果を選択することができ、受信側の各送受信ユニットグループの受信性能を向上させる。
例えば、各送受信ユニットグループの測定結果に対し、受信側は、当該送受信ユニットグループの測定結果において受信品質が第Ｑｇ位までのＱｇ個の測定結果を選択してＱ個の測定結果を得る。受信側は、前記Ｑ個の測定結果に対応するＱ個の送信ビームを前記Ｎ個の送信ビームから選択し、各送受信ユニットグループのＱｇ個の測定結果に対応するＱｇ個の送信ビームを、当該送受信ユニットグループに対応する送信ビームグループに区分する。
【００８４】
なお、上記Ｑｇは、予め送信側から受信側に対し設定してもよく、受信側によって自ら決められてもよい。かつ上記ｇ＝１，２，…，Ｇである。例えば、Ｑ１＝Ｑ２＝２、または、Ｑ１＝２、Ｑ２＝３などである。ただし、Ｑ＝Ｑ１＋Ｑ２＋…＋ＱＧ。
【００８５】
具体的に、受信側は、第ｇ個の送受信ユニットグループによる各ダウンリンク送信ビームの測定結果をソートし、最大の受信品質であるＱｇ個のダウンリンク送信ビームを選択する。同様に、ここで、異なる送受信グループで選択したダウンリンク送信ビームは、重複する可能性がある。
【００８６】
例えば、また表１の測定結果を例とする。Ｑ＝４かつＱ１＝Ｑ２＝２と限定すると、ビームの選択および組み分けの結果は、以下である。
送受信ユニットグループ１に対応する第１組のうちのビームは、ダウンリンク送信ビーム３、ダウンリンク送信ビーム２である。
送受信ユニットグループ２に対応する第２組のうちのビームは、ダウンリンク送信ビーム３、ダウンリンク送信ビーム１である。
【００８７】
また、本開示の実施例において、送信ビームの測定結果の受信品質は、基準信号受信電力（ＲＳＲＰ）やそれ以外のものによって示されるが、これについて、本開示の実施例において限定しない。計算量を小さくするために、受信側が受信品質に基づいて送信ビームをソートする際に、一定の閾値を設定してもよく、受信品質が閾値より高いダウンリンク送信ビームのみがソートされる。
【００８８】
選択可能に、上記実施形態において、前記受信側の各送受信ユニットグループは、少なくとも１つの送受信ユニットを含み、かつ各送受信ユニットは、少なくとも１つの受信ビームを含む。
前記Ｇ個の送受信ユニットグループの測定結果は、前記Ｎ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得、前記Ｇ個の送受信ユニットグループの測定結果セットから選択した前記Ｇ個の送受信ユニットグループの測定結果を含む。ここで、各送受信ユニットグループの測定結果セットは、当該送受信ユニットグループの各受信ビームで前記Ｎ個の送信ビームのビームトレーニング信号に対し受信および測定を行った測定結果を含み、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果である。
【００８９】
当該実施形態において、上記Ｇ個の送受信ユニットグループの測定結果は、各送受信ユニットグループから選択した各送信ビームに対応する受信品質が最大の測定結果であることが実現され、より好適なＱ個の送信ビームを選択することができる。例えば、送受信ユニットグループ１に対し、当該送受信ユニットグループ１に受信ビーム１、２が含まれるため、送受信ユニットグループ１に対する測定結果セットは、受信ビーム１によるＮ個の送信ビームの測定結果および受信ビーム２によるＮ個の送信ビームの測定結果を含む。ここで、送信ビーム１に対し、送受信ユニットグループ１の測定結果セットで受信品質が最大であるのは、受信ビーム１の測定結果であり、送信ビーム２に対し、送受信ユニットグループ１の測定結果セットで受信品質が最大であるのは、受信ビーム２の測定結果であると、送受信ユニットグループ１の測定結果は、受信ビーム１による送信ビーム１の測定結果および受信ビーム２による送信ビーム２の測定結果を含む。
【００９０】
送信側から送信されたＮ個の送信ビームのうちの各送信ビームのビームトレーニング信号に対し、受信側は、前記Ｇ個の送受信ユニットグループの各受信ビームで受信および測定を行い、前記Ｇ個の送受信ユニットグループの測定結果セットを得る。受信側は、前記Ｇ個の送受信ユニットグループの測定結果セットから前記Ｇ個の送受信ユニットグループの測定結果を選択する。このように、受信側は、各送信ビームのトレーニング信号に対し、すべての送受信ユニットグループのすべての受信ビームで受信および測定を行うことによって、各送受信ユニットグループで各送信ビームに最適な測定結果を選択することが実現される。
【００９１】
また、本開示の実施例において、受信側は、計
【数８】
0006970752.tif 000010
個の受信ビームを有し、各受信ビームが１組のビームフォーミング重み値に対応し、第ｎ個のビームの受信ビームフォーミング重み値は、
【数９】
0006970752.tif 000011
である。ここでＬは、ビームフォーミングのアンテナユニット数であり、受信側のアンテナユニット数より小さい。例えば、Ｌ個のアンテナユニットで受信された信号は、ビームフォーミング重み値による重み付けの後に、合併されて１つの送受信ユニットに送信され、対応する測定結果が得られる。
【００９２】
選択可能な実施形態として、前記送信側が、前記受信側から送信された前記Ｎ個の送信ビームのうちのＱ個の送信ビームのＩＤ情報、および前記Ｑ個の送信ビームのうちの各送信ビームのグループ情報を受信することは、前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することを含む。ここで、各送信ビームグループのうち、同一の受信ビームに対応する送信ビームは、１つの送信ビームサブグループに区分される。
前記方法において、前記送信側が、前記Ｑ個の送信ビームのうち、同一の送信ビームサブグループに属する送信ビームで前記受信側に同時に信号を送信できると特定することをさらに含む。
【００９３】
当該実施形態において、Ｑ個の送信ビームのうちの各送信ビームのグループ情報とサブグループ情報を取得することが実現され、各送信ビームの属する送信ビームグループ、および各送信ビームの属する送信ビームサブグループを特定することができ、前記Ｑ個の送信ビームのうち、同一の送信ビームサブグループに属する送信ビームで前記受信側に同時に信号を送信できると特定することができる。すなわち、受信側は、同時受信が可能な送信ビームを同一のビームサブグループに区分する。さらに、前記Ｑ個の送信ビームのうち、異なる送信ビームグループに属する送信ビームで前記受信側に同時に信号を送信できると特定することができる。このように、前記受信側に同時に信号を送信できる送信ビームをより多く特定することができ、データ伝送効率を向上させる。例えば、送信ビーム１が送信ビームグループ１に属し、送信ビーム２が送信ビームグループ１に属し、送信ビーム３が送信ビームグループ１に属し、かつ送信ビーム１と送信ビーム２が送信ビームサブグループ１に属し、送信ビーム４が送信ビームグループ２に属する場合、送信側は、送信ビーム１と送信ビーム２が前記受信側に同時に信号を送信できると特定することができる。かつ送信ビーム１と送信ビーム４が前記受信側に同時に信号を送信でき、送信ビーム２と送信ビーム４が前記受信側に同時に信号を送信でき、送信ビーム３と送信ビーム４が前記受信側に同時に信号を送信できる。例えば、図３に示すように、送信ビーム（ＢＴ）１と送信ビーム（ＢＴ）２が受信側に同時に信号を送信し、かつ受信側の送受信ユニット（ＴＸＲＵ）０の受信ビーム（ＢＲ）１によって同時に受信される。また、例えば、図４に示すように、送信ビーム（ＢＴ）１と送信ビーム（ＢＴ）４が前記受信側に同時に信号を送信でき、かつ受信側の送受信ユニット（ＴＸＲＵ）０の受信ビーム（ＢＲ）１と送受信ユニット（ＴＸＲＵ）１の受信ビーム（ＢＲ）２によって同時に受信される。
【００９４】
ここで、当該実施形態において、受信側は、前記受信側の受信ビーム候補から、前記Ｑ個の送信ビームに１つの受信ビームを選択する。前記受信側は、送信ビームグループ毎に、当該送信ビームグループのうち、同じ受信ビームに対応する送信ビームを１つの送信ビームサブグループに区分する。受信側は、前記Ｎ個の送信ビームのうちのＱ個の送信ビームのＩＤ情報、および前記Ｑ個の送信ビームのうちの各送信ビームのグループ情報とサブグループ情報を前記送信側に送信する。ここで、上記受信側の受信ビーム候補は、受信側に含まれる受信ビームである。ここの「候補」とは、送信側の送信ビームに対応する受信ビームの候補として理解してもよく、すなわち受信ビーム候補から、送信ビームに対応する受信ビームを選択する。かつこれらの受信ビーム候補は、受信側によって予め設定されるか、ユーザによって設定されるが、これについて、本開示の実施例において限定しない。
【００９５】
例えば、第ｇグループのＱｇ個のダウンリンク送信ビームに対し、受信側は、さらにＰｇ個のサブグループに区分し、第ｐ個のサブグループ内のダウンリンク送信ビームの数がＲｐ（ｐ＝１，２，…，Ｐｇ）である。しかも、Ｒ１＋Ｒ２＋…＋ＲＰｇ＜＝Ｑｇが成立する。第ｇグループにおいて、どのサブグループにも属さない送信ビームを有してもよく、すなわちＲ１＋Ｒ２＋…＋ＲＰｇ＜Ｑｇが成立する。第ｇの送信ビームグループ内の任意の２つのビームが受信側によって同時に受信されない場合、Ｐｇ＝０になり、すなわち第ｇグループではサブグループが区分されていない。第ｇの送信ビームグループ内の１つのビームが同一送信ビームグループ内の任意のほかのビームと同時に受信されない場合、当該送信ビームは、どのビームサブグループにも属さない。または、特別なサブグループを取り決めてもよく、第ｇグループのうち、任意のほかのビームと同時に受信されないビームは、すべて当該サブグループに区分される。
【００９６】
例えば、送信ビームグループ１には、送信ビーム１と、送信ビーム２と、送信ビーム３を含む。ここで、受信側は、送信ビーム１、送信ビーム２、送信ビーム３に対し、それぞれ受信ビーム１、受信ビーム１、受信ビーム２を選択すると、送信ビーム１と送信ビーム２は、同じ受信ビーム１に対応する。よって、受信側は、送信ビーム１と送信ビーム２を１つの送信ビームサブグループに区分する。
【００９７】
選択可能に、当該実施形態において、各送信ビームに対応する受信ビームは、前記受信側のすべての受信ビーム候補による当該送信ビームのビームトレーニング信号の測定結果のうち、最大受信品質の測定結果に対応する受信ビームを含む。
【００９８】
当該実施形態において、各送信ビームに対応する受信ビームは、受信側のすべての受信ビームのうち、当該送信ビームに対する測定結果が最大の受信ビームであることが実現され、データ伝送品質が向上する。
【００９９】
当該実施形態において、受信側は、送信ビーム毎に、前記受信側のすべての受信ビーム候補による当該送信ビームのビームトレーニング信号の測定結果を取得し、取得した測定結果のうち、受信品質が最大の測定結果に対応する受信ビームを、当該送信ビームの受信ビームとする。
【０１００】
選択可能に、上記実施形態において、前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することは、前記送信側が、前記受信側から送信されたＧ個の送信ビームグループのグループ情報を受信することを含む。ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含む。
または、前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することは、前記送信側が、前記受信側から送信された前記Ｑ個の送信ビームのビーム区分情報を受信することを含む。ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含む。
【０１０１】
ここで、送信ビームのＩＤ情報は、システムで定義されている各ビームに対応する番号であり、または、例えばリソースインデックス、シーケンスインデックス、時間インデックス、ポートインデックスおよびそれらの組み合わせなどの送信ビームトレーニング信号のインデックスであるが、これについて、本開示の実施例において限定しない。
【０１０２】
ここで、上記第１種類の方式は、下記の表２に示す形式が用いられる。受信側は、各グループおよびサブグループに一義的なＩＤを与え、当該ＩＤも同時に報告することが好ましい。例えば、各送信ビームグループのグループ情報に当該送信ビームグループのグループＩＤも含まれ、各送信ビームサブグループ情報に当該送信ビームサブグループのサブグループＩＤも含まれる。具体的に、図２を参照する。図２において、送信ビームＩＤ（ｍ，ｎ，ｑ）は、第ｍ個のダウンリンク送信ビームグループの第ｎ個のサブグループの第ｑ個のダウンリンク送信ビームのＩＤである。
【０１０３】
【表２】
0006970752.tif 000012
【０１０４】
なお、グループＩＤおよびサブグループＩＤは、ダウンリンク送信ビーム毎に重複して報告する必要がなく、同一グループまたはサブグループに属するダウンリンク送信ビームに対し、１つの共通のグループまたはサブグループＩＤを報告することによって、伝送コストを減少させる。
【０１０５】
上記第２種類の方式において、受信側は、各グループおよびサブグループに一義的なＩＤを与える。受信側から送信される送信ビームのビーム区分情報は、表３に示される。
【０１０６】
【表３】
0006970752.tif 000013
【０１０７】
ここで、ｇｉ（ｇｉ∈｛１，２，…，Ｇ｝）は、第ｉ（ｉ＝１，２，…，Ｑ）個の送信ビームの属するダウンリンク送信グループのＩＤであり、ｓｉ（ｓｉ∈｛１，２，…，Ｐｇｉ｝）は、第ｉ個の送信ビームの属するサブグループのＩＤである。
【０１０８】
上記２種類の実施形態によって、各送信ビームのグループ情報とサブグループ情報を送信側に柔軟に送信することが実現される。
【０１０９】
選択可能に、上記実施形態において、前記Ｇ個の送信ビームグループに目標送信ビームグループが存在するのであれば、前記目標送信ビームグループには、目標送信ビームを含む。前記目標送信ビームに対応する受信ビームと、前記目標送信ビームグループ内のほかの送信ビームに対応する受信ビームとは異なる。前記目標送信ビームのサブグループＩＤは、ヌルであるか所定のＩＤである。このように、同一グループ内のほかの任意のビームと同時に受信されないダウンリンク送信ビームに対し、そのサブグループＩＤをヌル（どのサブグループにも属さない）にするか、特別なサブグループＩＤ、例えば−１を与えることが実現される。よって、送信側は、受信側に同時に信号を送信できる送信ビームを正確に特定することができる。
【０１１０】
なお、本開示の実施例で紹介した多種類の選択可能な実施形態は、互いに組み合わせて実現されてもよく、各自に実現されてもよい。
【０１１１】
本開示の実施例において、送信側は、Ｎ（正整数）個の送信ビームのビームトレーニング信号を受信側に送信する。前記送信側は、前記受信側から送信された前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信する。ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果である。前記送信側は、前記Ｑ個の送信ビームのうち、異なる送信ビームグループに属する送信ビームで前記受信側に同時に信号を送信できると特定する。このように、送信側は、前記受信側に同時に信号を送信できる送信ビームを特定できることが実現される。
【０１１２】
図５を参照する。本開示の実施例は、別の送信ビーム特定方法を提供し、図５に示すように、以下のステップを含む。
【０１１３】
ステップ５０１において、受信側は、送信側から送信されたＮ（正整数）個の送信ビームのビームトレーニング信号に対し受信および測定を行い、測定結果に基づいて、前記Ｎ個の送信ビームからＱ（正整数）個の送信ビームを選択し、前記Ｑ個の送信ビームをＧ（正整数）個の送信ビームグループに区分する。
【０１１４】
ステップ５０２において、前記送信側が前記Ｑ個の送信ビームのうち異なる送信ビームグループに属する送信ビームで前記受信側に同時に信号を送信できると特定するように、受信側は、前記Ｑ個の送信ビームのＩＤ情報および前記Ｑ個の送信ビームのうちの各送信ビームのグループ情報を前記送信側に送信する。
【０１１５】
選択可能に、前記受信側が、送信側から送信されたＮ個の送信ビームのビームトレーニング信号に対し受信および測定をすることは、受信側が、送信側から送信されたＮ個の送信ビームのビームトレーニング信号に対し、Ｇ個の送受信ユニットグループで受信および測定をすることを含み、ここで、前記Ｇ個の送受信ユニットグループは、それぞれ前記受信側のＧ個の送受信ユニットグループに対応する。
【０１１６】
選択可能に、前記受信側が、送信側から送信されたＮ個の送信ビームのビームトレーニング信号に対し、Ｇ個の送受信ユニットグループで受信および測定を行い、測定結果に基づいて前記Ｎ個の送信ビームからＱ個の送信ビームを選択し、前記Ｑ個の送信ビームをＧ個の送信ビームグループに区分することは、
送信側から送信されたＮ個の送信ビームのうちの各送信ビームのビームトレーニング信号に対し、前記受信側が、前記Ｇ個の送受信ユニットグループで受信および測定を行い、前記Ｇ個の送受信ユニットグループの測定結果を得ることを含み、ここで、各送受信ユニットグループの測定結果は、当該送受信ユニットグループで前記Ｎ個の送信ビームのビームトレーニング信号に対し受信および測定を行った測定結果を含む。
前記受信側が、送信側から送信されたＮ個の送信ビームのビームトレーニング信号に対し、Ｇ個の送受信ユニットグループで受信および測定を行い、測定結果に基づいて前記Ｎ個の送信ビームからＱ個の送信ビームを選択し、前記Ｑ個の送信ビームをＧ個の送信ビームグループに区分することは、
前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することをさらに含む。
【０１１７】
選択可能に、前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することは、
前記受信側が、前記Ｇ個の送受信ユニットグループの測定結果から、受信品質が第Ｑ位までのＱ個の測定結果を選択し、前記Ｑ個の測定結果に対応するＱ個の送信ビームを前記Ｎ個の送信ビームから選択し、前記Ｑ個の測定結果において前記Ｑ個の送信ビームに対応する送受信ユニットグループに基づいて、前記Ｑ個の送信ビームをＧ個の送信ビームグループに区分することを含む。
【０１１８】
選択可能に、前記受信側が、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することは、
各送受信ユニットグループの測定結果に対し、前記受信側が、当該送受信ユニットグループの測定結果において受信品質が第Ｑｇ位までのＱｇ個の測定結果を選択してＱ個の測定結果を得ることを含み、ここで、異なる送受信ユニットグループに対し、前記Ｑｇは、同一または異なる正整数であり、かつ前記Ｇ個の送信ビームグループに対応するＱｇの和は、前記Ｑであり、
前記受信側が、前記Ｑ個の測定結果に対応するＱ個の送信ビームを前記Ｎ個の送信ビームから選択し、各送受信ユニットグループのＱｇ個の測定結果に対応するＱｇ個の送信ビームを、当該送受信ユニットグループに対応する送信ビームグループに区分することをさらに含む。
【０１１９】
選択可能に、各送受信ユニットグループは、少なくとも１つの送受信ユニットを含み、かつ各送受信ユニットは、少なくとも１つの受信ビームを含み、
前記の送信側から送信されたＮ個の送信ビームのうちの各送信ビームのビームトレーニング信号に対し、前記受信側が、前記Ｇ個の送受信ユニットグループで受信および測定を行い、前記Ｇ個の送受信ユニットグループの測定結果を得ることは、
送信側から送信されたＮ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得ることを含み、ここで、各送受信ユニットグループの測定結果セットは、当該送受信ユニットグループの各受信ビームで前記Ｎ個の送信ビームのビームトレーニング信号に対し受信および測定を行った測定結果を含み、
前記受信側が、前記Ｇ個の送受信ユニットグループの測定結果を前記Ｇ個の送受信ユニットグループの測定結果セットから選択することをさらに含み、ここで、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果である。
【０１２０】
選択可能に、前記方法において、
前記受信側が、前記受信側の受信ビーム候補から、前記Ｑ個の送信ビームに対し１つの受信ビームを選択することと、
送信ビームグループ毎に、前記受信側が、当該送信ビームグループのうち、同一の受信ビームに対応する送信ビームを１つの送信ビームサブグループに区分すること、を含み、
前記受信側が、前記Ｎ個の送信ビームのうちのＱ個の送信ビームのＩＤ情報および前記Ｑ個の送信ビームのうちの各送信ビームのグループ情報を前記送信側に送信することは、
前記受信側が、前記Ｎ個の送信ビームのうちのＱ個の送信ビームのＩＤ情報および前記Ｑ個の送信ビームのうちの各送信ビームのグループ情報とサブグループ情報を前記送信側に送信することを含む。
【０１２１】
選択可能に、前記受信側が、前記受信側の受信ビーム候補から、前記Ｑ個の送信ビームに対し１つの受信ビームを選択することは、
送信ビーム毎に、前記受信側が、前記受信側のすべての受信ビーム候補による当該送信ビームのビームトレーニング信号の測定結果を取得し、取得した測定結果のうち、最大受信品質の測定結果に対応する受信ビームを、当該送信ビームの受信ビームとすることを含む。
【０１２２】
選択可能に、前記受信側が、前記Ｎ個の送信ビームのうちのＱ個の送信ビームのＩＤ情報および前記Ｑ個の送信ビームのうちの各送信ビームのグループ情報とサブグループ情報を前記送信側に送信することは、
前記受信側が、Ｇ個の送信ビームグループのグループ情報を前記送信側に送信することを含み、ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、
または、
前記受信側が、前記Ｑ個の送信ビームのビーム区分情報を前記送信側に送信することを含み、ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含む。
【０１２３】
選択可能に、前記Ｇ個の送信ビームグループに目標送信ビームグループが存在するのであれば、前記目標送信ビームグループには、目標送信ビームを含み、
前記目標送信ビームに対応する受信ビームと、前記目標送信ビームグループ内のほかの送信ビームに対応する受信ビームとは異なり、
前記目標送信ビームのサブグループＩＤは、ヌルであるか所定のＩＤである。
【０１２４】
なお、本開示の実施例における受信側は、１つまたは複数の送受信ユニットを含む受信側である。
【０１２５】
なお、本実施例は、図２に示す実施例に対応する受信側の実施形態として、その具体的な実施形態について、図２に示す実施例の関連説明を参照されたく、重複な説明を避けるように本実施例を繰り返して記載しない。本実施例によれば、同一の効果を奏することもできる。
【０１２６】
図６を参照する。本開示の実施例は、端末側を提供する。
図６に示すように、送信側６００は、
Ｎ（正整数）個の送信ビームのビームトレーニング信号を受信側に送信する送信モジュール６０１と、
前記受信側から送信された前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報を受信する受信モジュール６０２と、
ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果であり、
前記Ｑ個の送信ビームのうち、異なる送信ビームグループに属する送信ビームで前記受信側に同時に信号を送信できると特定する第１特定モジュール６０３と、を含む。
【０１２７】
選択可能に、前記Ｇ個の送信ビームグループは、それぞれ前記受信側のＧ個の送受信ユニットグループに対応する。
【０１２８】
選択可能に、前記測定結果は、前記受信側が、前記Ｎ個の送信ビームのうちの各送信ビームのビームトレーニング信号に対し、前記Ｇ個の送受信ユニットグループで受信および測定を行って得た前記Ｇ個の送受信ユニットグループの測定結果を含み、ここで、各送受信ユニットグループの測定結果は、当該送受信ユニットグループで前記Ｎ個の送信ビームのビームトレーニング信号に対し受信および測定を行った測定結果を含む。
前記Ｑ個の送信ビームは、前記受信側が前記Ｇ個の送受信ユニットグループの測定結果に基づいて前記Ｎ個の送信ビームから選択したＱ個の送信ビームを含む。
前記Ｇ個の送信ビームグループは、前記受信側が前記Ｇ個の送受信ユニットグループの測定結果に基づいて前記Ｑ個の送信ビームを区分したＧ個の送信ビームグループを含む。
【０１２９】
選択可能に、前記Ｑ個の送信ビームは、前記受信側が、前記Ｇ個の送受信ユニットグループの測定結果から、受信品質が第Ｑ位までのＱ個の測定結果を選択し、前記Ｎ個の送信ビームから選択した前記Ｑ個の測定結果に対応するＱ個の送信ビームを含む。
前記Ｇ個の送信ビームグループは、前記受信側が、前記Ｑ個の測定結果において前記Ｑ個の送信ビームに対応する送受信ユニットグループに基づいて、前記Ｑ個の送信ビームを区分したＧ個の送信ビームグループを含む。
【０１３０】
選択可能に、前記Ｑ個の送信ビームは、前記受信側が、各送受信ユニットグループの測定結果に対し、当該送受信ユニットグループの測定結果において受信品質が第Ｑｇ位までのＱｇ個の測定結果を選択してＱ個の測定結果を得、前記Ｎ個の送信ビームから選択した前記Ｑ個の測定結果に対応するＱ個の送信ビームを含む。ここで、異なる送受信ユニットグループに対し、前記Ｑｇは、同一または異なる正整数であり、かつ前記Ｇ個の送信ビームグループに対応するＱｇの和は、前記Ｑである。
前記Ｇ個の送信ビームグループは、前記受信側が、各送受信ユニットグループのＱｇ個の測定結果に対応するＱｇ個の送信ビームを、当該送受信ユニットグループに対応する送信ビームグループに区分して得たＧ個の送信ビームグループを含む。
【０１３１】
選択可能に、前記受信側において、各送受信ユニットグループは、少なくとも１つの送受信ユニットを含み、かつ各送受信ユニットは、少なくとも１つの受信ビームを含む。前記Ｇ個の送受信ユニットグループの測定結果は、前記Ｎ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得、前記Ｇ個の送受信ユニットグループの測定結果セットから選択した前記Ｇ個の送受信ユニットグループの測定結果を含む。ここで、各送受信ユニットグループの測定結果セットは、当該送受信ユニットグループの各受信ビームで前記Ｎ個の送信ビームのビームトレーニング信号に対し受信および測定を行った測定結果を含み、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果である。
【０１３２】
選択可能に、前記受信モジュールは、前記受信側から送信された前記Ｎ個の送信ビームのうちのＱ個の送信ビームのＩＤ情報、および前記Ｑ個の送信ビームのうちの各送信ビームのグループ情報とサブグループ情報を受信する。ここで、各送信ビームグループのうち、同一の受信ビームに対応する送信ビームは、１つの送信ビームサブグループに区分される。
【０１３３】
図７に示すように、前記送信側６００は、前記Ｑ個の送信ビームのうち、同一の送信ビームサブグループに属する送信ビームで前記受信側に同時に信号を送信できると特定する第２特定モジュール６０４をさらに含む。
【０１３４】
選択可能に、各送信ビームに対応する受信ビームは、前記受信側のすべての受信ビーム候補による当該送信ビームのビームトレーニング信号の測定結果のうち、最大受信品質の測定結果に対応する受信ビームを含む。
【０１３５】
選択可能に、前記受信モジュールは、前記受信側から送信されたＧ個の送信ビームグループのグループ情報を受信する。ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含む。
または、前記受信モジュールは、前記受信側から送信された前記Ｑ個の送信ビームのビーム区分情報を受信する。ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含む。
【０１３６】
選択可能に、前記Ｇ個の送信ビームグループに目標送信ビームグループが存在するのであれば、前記目標送信ビームグループには、目標送信ビームを含み、前記目標送信ビームに対応する受信ビームと、前記目標送信ビームグループ内のほかの送信ビームに対応する受信ビームとは異なり、前記目標送信ビームのサブグループＩＤは、ヌルであるか所定のＩＤである。
【０１３７】
なお、本実施例における上記送信側６００は、本開示の実施例における方法実施例の任意の実施形態の送信側であってもよい。本開示の実施例における方法実施例の送信側の任意の実施形態は、本実施例における上記送信側６００によって実現可能であり、同一の効果を奏することもでき、ここでは繰り返して記載しない。
【０１３８】
図８を参照する。本開示の実施例は、受信側を提供する。
図８に示すように、受信側８００は、
送信側から送信されたＮ（正整数）個の送信ビームのビームトレーニング信号に対し受信および測定を行い、測定結果に基づいて、前記Ｎ個の送信ビームからＱ（正整数）個の送信ビームを選択し、前記Ｑ個の送信ビームをＧ（正整数）個の送信ビームグループに区分する測定モジュール８０１と、
前記送信側が前記Ｑ個の送信ビームのうち異なる送信ビームグループに属する送信ビームで前記受信側に同時に信号を送信できると特定するように、前記Ｑ個の送信ビームのＩＤ情報および前記Ｑ個の送信ビームのうちの各送信ビームのグループ情報を前記送信側に送信する送信モジュール８０２と、を含む。
【０１３９】
選択可能に、前記測定モジュール８０１は、送信側から送信されたＮ個の送信ビームのビームトレーニング信号に対し、Ｇ個の送受信ユニットグループで受信および測定を行い、測定結果に基づいて前記Ｎ個の送信ビームからＱ個の送信ビームを選択し、前記Ｑ個の送信ビームをＧ個の送信ビームグループに区分する。
ここで、前記Ｇ個の送受信ユニットグループは、それぞれ前記受信側のＧ個の送受信ユニットグループに対応する。
【０１４０】
選択可能に、図９に示すように、前記測定モジュール８０１は、
送信側から送信されたＮ個の送信ビームのうちの各送信ビームのビームトレーニング信号に対し、前記Ｇ個の送受信ユニットグループで受信および測定を行い、前記Ｇ個の送受信ユニットグループの測定結果を得る測定ユニット８０１１と、
ここで、各送受信ユニットグループの測定結果は、当該送受信ユニットグループで前記Ｎ個の送信ビームのビームトレーニング信号に対し受信および測定を行った測定結果を含み、
前記Ｇ個の送受信ユニットグループの測定結果に基づいて前記Ｎ個の送信ビームからＱ個の送信ビームを選択し、前記Ｑ個の送信ビームをＧ個の送信ビームグループに区分する選択ユニット８０１２と、をさらに含む。
【０１４１】
選択可能に、前記選択ユニット８０１２は、前記Ｇ個の送受信ユニットグループの測定結果から、受信品質が第Ｑ位までのＱ個の測定結果を選択し、前記Ｑ個の測定結果に対応するＱ個の送信ビームを前記Ｎ個の送信ビームから選択し、前記Ｑ個の測定結果において前記Ｑ個の送信ビームに対応する送受信ユニットグループに基づいて、前記Ｑ個の送信ビームをＧ個の送信ビームグループに区分する。
【０１４２】
選択可能に、図１０に示すように、前記選択ユニット８０１２は、
各送受信ユニットグループの測定結果に対し、当該送受信ユニットグループの測定結果において受信品質が第Ｑｇ位までのＱｇ個の測定結果を選択してＱ個の測定結果を得る第１選択サブユニット８０１２１と、
ここで、異なる送受信ユニットグループに対し、前記Ｑｇは、同一または異なる正整数であり、かつ前記Ｇ個の送信ビームグループに対応するＱｇの和は、前記Ｑであり、
前記Ｑ個の測定結果に対応するＱ個の送信ビームを前記Ｎ個の送信ビームから選択し、各送受信ユニットグループのＱｇ個の測定結果に対応するＱｇ個の送信ビームを、当該送受信ユニットグループに対応する送信ビームグループに区分する第２選択サブユニット８０１２２と、をさらに含む。
【０１４３】
選択可能に、各送受信ユニットグループは、少なくとも１つの送受信ユニットを含み、かつ各送受信ユニットは、少なくとも１つの受信ビームを含む。
図１１に示すように、前記測定ユニット８０１１は、
送信側から送信されたＮ個の送信ビームのうちの各送信ビームのビームトレーニング信号に対し、前記Ｇ個の送受信ユニットグループの各受信ビームで受信および測定を行い、前記Ｇ個の送受信ユニットグループの測定結果セットを得る測定サブユニット８０１１１と、
ここで、各送受信ユニットグループの測定結果セットは、当該送受信ユニットグループの各受信ビームで前記Ｎ個の送信ビームのビームトレーニング信号に対し受信および測定を行った測定結果を含み、
前記Ｇ個の送受信ユニットグループの測定結果を前記Ｇ個の送受信ユニットグループの測定結果セットから選択する第３選択サブユニット８０１１２と、
ここで、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果であり、
をさらに含む。
【０１４４】
選択可能に、図１２に示すように、前記受信側８００は、
前記受信側の受信ビーム候補から、前記Ｑ個の送信ビームに対し１つの受信ビームを選択する選択モジュール８０３と、
送信ビームグループ毎に、当該送信ビームグループのうち、同一の受信ビームに対応する送信ビームを１つの送信ビームサブグループに区分する区分モジュール８０４と、
をさらに含む。
前記送信モジュール８０２は、前記Ｎ個の送信ビームのうちのＱ個の送信ビームのＩＤ情報および前記Ｑ個の送信ビームのうちの各送信ビームのグループ情報とサブグループ情報を前記送信側に送信する。
【０１４５】
選択可能に、前記選択モジュール８０３は、送信ビーム毎に、前記受信側のすべての受信ビーム候補による当該送信ビームのビームトレーニング信号の測定結果を取得し、取得した測定結果のうち、最大受信品質の測定結果に対応する受信ビームを、当該送信ビームの受信ビームとする。
【０１４６】
選択可能に、前記送信モジュール８０２は、Ｇ個の送信ビームグループのグループ情報を前記送信側に送信する。ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含む。
または、前記送信モジュール８０２は、前記Ｑ個の送信ビームのビーム区分情報を前記送信側に送信する。ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含む。
【０１４７】
選択可能に、前記Ｇ個の送信ビームグループに目標送信ビームグループが存在するのであれば、前記目標送信ビームグループには、目標送信ビームを含み、前記目標送信ビームに対応する受信ビームと、前記目標送信ビームグループ内のほかの送信ビームに対応する受信ビームとは異なり、前記目標送信ビームのサブグループＩＤは、ヌルであるか所定のＩＤである。
【０１４８】
なお、本実施例における上記受信側８００は、本開示の実施例における方法実施例の任意の実施形態の受信側であってもよい。本開示の実施例における方法実施例の受信側の任意の実施形態は、本実施例における上記受信側８００によって実現可能であり、同一の効果を奏することもでき、ここでは繰り返して記載しない。
【０１４９】
図１３を参照する。本開示の実施例は、別の送信側を提供する。当該送信側は、プロセッサ１３００と、トランシーバ１３１０と、メモリ１３２０と、ユーザインタフェース１３３０と、バスインタフェースとを含む。プロセッサ１３００は、メモリ１３２０からプログラムを読み取ることによって、以下のプロセスを実行する。
Ｎ（正整数）個の送信ビームのビームトレーニング信号をトランシーバ１３１０で受信側に送信する。
前記受信側から送信された前記Ｎ個の送信ビームのうち、Ｇ（正整数）個の送信ビームグループを含むＱ（正整数）個の送信ビームのＩＤ情報、および前記Ｑ個の送信ビームのうちの各送信ビームのグループ情報をトランシーバ１３１０で受信する。ここで、前記Ｇ個の送信ビームグループは、前記受信側が測定結果に基づいて区分したものであり、前記測定結果は、前記受信側が、前記送信側から送信されたビームトレーニング信号に対し受信および測定を行って得た測定結果である。
前記送信側は、前記Ｑ個の送信ビームのうち、異なる送信ビームグループに属する送信ビームで前記受信側に同時に信号を送信できると特定する。
【０１５０】
ここで、トランシーバ１３１０は、プロセッサ１３００による制御でデータを送受信する。
【０１５１】
ここで、図１３において、バスアーキテクチャは、任意数の相互接続するバスとブリッジを含み、具体的に、プロセッサ１３００をはじめとする１つ又は複数のプロセッサとメモリ１３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１３１０は、複数の部品であってもよく、即ち送信機と受信機を含み、伝送媒体でほかの各種類の装置と通信するユニットとして提供される。ユーザ端末によっては、ユーザインタフェース１３３０は、内部接続や外部接続する機器のインタフェースであってもよい。接続する機器は、キーパッド、ディスプレイ、スピーカ、マイクロフォン、ジョイスティックなどを含むが、それらに限られない。
【０１５２】
プロセッサ１３００は、バスアーキテクチャと通常の処理を管理する。メモリ１３２０は、プロセッサ１３００による操作実行に使用されるデータを記憶できる。
【０１５３】
選択可能に、前記Ｇ個の送信ビームグループは、それぞれ前記受信側のＧ個の送受信ユニットグループに対応する。
【０１５４】
選択可能に、前記測定結果は、前記受信側が、前記Ｎ個の送信ビームのうちの各送信ビームのビームトレーニング信号に対し、前記Ｇ個の送受信ユニットグループで受信および測定を行って得た前記Ｇ個の送受信ユニットグループの測定結果を含む。ここで、各送受信ユニットグループの測定結果は、当該送受信ユニットグループで前記Ｎ個の送信ビームのビームトレーニング信号に対し受信および測定を行った測定結果を含む。
前記Ｑ個の送信ビームは、前記受信側が前記Ｇ個の送受信ユニットグループの測定結果に基づいて前記Ｎ個の送信ビームから選択したＱ個の送信ビームを含む。
前記Ｇ個の送信ビームグループは、前記受信側が前記Ｇ個の送受信ユニットグループの測定結果に基づいて前記Ｑ個の送信ビームを区分したＧ個の送信ビームグループを含む。
【０１５５】
選択可能に、前記Ｑ個の送信ビームは、前記受信側が、前記Ｇ個の送受信ユニットグループの測定結果から、受信品質が第Ｑ位までのＱ個の測定結果を選択し、前記Ｎ個の送信ビームから選択した前記Ｑ個の測定結果に対応するＱ個の送信ビームを含む。
前記Ｇ個の送信ビームグループは、前記受信側が、前記Ｑ個の測定結果において前記Ｑ個の送信ビームに対応する送受信ユニットグループに基づいて、前記Ｑ個の送信ビームを区分したＧ個の送信ビームグループを含む。
【０１５６】
選択可能に、前記Ｑ個の送信ビームは、前記受信側が、各送受信ユニットグループの測定結果に対し、当該送受信ユニットグループの測定結果において受信品質が第Ｑｇ位までのＱｇ個の測定結果を選択してＱ個の測定結果を得、前記Ｎ個の送信ビームから選択した前記Ｑ個の測定結果に対応するＱ個の送信ビームを含む。ここで、異なる送受信ユニットグループに対し、前記Ｑｇは、同一または異なる正整数であり、かつ前記Ｇ個の送信ビームグループに対応するＱｇの和は、前記Ｑである。
前記Ｇ個の送信ビームグループは、前記受信側が、各送受信ユニットグループのＱｇ個の測定結果に対応するＱｇ個の送信ビームを、当該送受信ユニットグループに対応する送信ビームグループに区分して得たＧ個の送信ビームグループを含む。
【０１５７】
選択可能に、前記受信側において、各送受信ユニットグループは、少なくとも１つの送受信ユニットを含み、かつ各送受信ユニットは、少なくとも１つの受信ビームを含む。
前記Ｇ個の送受信ユニットグループの測定結果は、前記Ｎ個の送信ビームのうちの各送信ビームのビームトレーニング信号に対し、前記受信側が、前記Ｇ個の送受信ユニットグループの各受信ビームで受信および測定を行い、前記Ｇ個の送受信ユニットグループの測定結果セットを得、前記Ｇ個の送受信ユニットグループの測定結果セットから選択した前記Ｇ個の送受信ユニットグループの測定結果を含む。
ここで、各送受信ユニットグループの測定結果セットは、当該送受信ユニットグループの各受信ビームで前記Ｎ個の送信ビームのビームトレーニング信号に対し受信および測定を行った測定結果を含み、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果である。
【０１５８】
選択可能に、前記受信側から送信された前記Ｎ個の送信ビームのうちのＱ個の送信ビームのＩＤ情報、および前記Ｑ個の送信ビームのうちの各送信ビームのグループ情報を受信することは、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することを含む。ここで、各送信ビームグループのうち、同一の受信ビームに対応する送信ビームは、１つの送信ビームサブグループに区分される。
プロセッサ１３００は、さらに、前記Ｑ個の送信ビームのうち、同一の送信ビームサブグループに属する送信ビームで前記受信側に同時に信号を送信できると特定する。
【０１５９】
選択可能に、各送信ビームに対応する受信ビームは、前記受信側のすべての受信ビーム候補による当該送信ビームのビームトレーニング信号の測定結果のうち、最大受信品質の測定結果に対応する受信ビームを含む。
【０１６０】
選択可能に、前記送信側が、前記受信側から送信された前記Ｎ個の送信ビームのうちのＱ個の送信ビームのＩＤ情報、および前記Ｑ個の送信ビームのうちの各送信ビームのグループ情報とサブグループ情報を受信することは、
前記送信側が、前記受信側から送信されたＧ個の送信ビームグループのグループ情報を受信することと、
ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、
または、
前記送信側が、前記受信側から送信された前記Ｑ個の送信ビームのビーム区分情報を受信することと、
ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含み、
を含む。
【０１６１】
選択可能に、前記Ｇ個の送信ビームグループに目標送信ビームグループが存在するのであれば、前記目標送信ビームグループには、目標送信ビームを含み、前記目標送信ビームに対応する受信ビームと、前記目標送信ビームグループ内のほかの送信ビームに対応する受信ビームとは異なり、前記目標送信ビームのサブグループＩＤは、ヌルであるか所定のＩＤである。
【０１６２】
なお、本実施例における上記送信側は、図１〜図５に示す実施例の送信側であってもよい。図１〜図５に示す実施例の送信側の任意の実施形態は、本実施例の上記送信側によって実現可能であり、同一の効果を奏することもでき、ここでは繰り返して記載しない。
【０１６３】
図１４を参照する。本開示の実施例は、別の受信側を提供する。当該受信側は、プロセッサ１４００と、トランシーバ１４１０と、メモリ１４２０と、ユーザインタフェース１４３０と、バスインタフェースとを含む。プロセッサ１４００は、メモリ１４２０からプログラムを読み取ることによって、以下のプロセスを実行する。
送信側から送信されたＮ（正整数）個の送信ビームのビームトレーニング信号に対しトランシーバ１４１０で受信および測定を行い、測定結果に基づいて、前記Ｎ個の送信ビームからＱ（正整数）個の送信ビームを選択し、前記Ｑ個の送信ビームをＧ（正整数）個の送信ビームグループに区分する。
前記送信側が前記Ｑ個の送信ビームのうち異なる送信ビームグループに属する送信ビームで前記受信側に同時に信号を送信できると特定するように、前記Ｑ個の送信ビームのＩＤ情報および前記Ｑ個の送信ビームのうちの各送信ビームのグループ情報をトランシーバ１４１０で前記送信側に送信する。
【０１６４】
ここで、トランシーバ１４１０は、プロセッサ１４００による制御でデータを送受信する。
【０１６５】
ここで、図１４において、バスアーキテクチャは、任意数の相互接続するバスとブリッジを含み、具体的に、プロセッサ１４００をはじめとする１つ又は複数のプロセッサとメモリ１４２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１４１０は、複数の部品であってもよく、即ち送信機と受信機を含み、伝送媒体でほかの各種類の装置と通信するユニットとして提供される。ユーザ端末によっては、ユーザインタフェース１４３０は、内部接続や外部接続する機器のインタフェースであってもよい。接続する機器は、キーパッド、ディスプレイ、スピーカ、マイクロフォン、ジョイスティックなどを含むが、それらに限られない。
【０１６６】
プロセッサ１４００は、バスアーキテクチャと通常の処理を管理する。メモリ１４２０は、プロセッサ１４００による操作実行に使用されるデータを記憶できる。
【０１６７】
選択可能に、送信側から送信されたＮ個の送信ビームのビームトレーニング信号に対し受信および測定をすることは、送信側から送信されたＮ個の送信ビームのビームトレーニング信号に対し、Ｇ個の送受信ユニットグループで受信および測定をすることを含み、ここで、前記Ｇ個の送受信ユニットグループは、それぞれ前記受信側のＧ個の送受信ユニットグループに対応する。
【０１６８】
選択可能に、送信側から送信されたＮ個の送信ビームのビームトレーニング信号に対し、Ｇ個の送受信ユニットグループで受信および測定を行い、測定結果に基づいて前記Ｎ個の送信ビームからＱ個の送信ビームを選択し、前記Ｑ個の送信ビームをＧ個の送信ビームグループに区分することは、
送信側から送信されたＮ個の送信ビームのうちの各送信ビームのビームトレーニング信号に対し、前記Ｇ個の送受信ユニットグループで受信および測定を行い、前記Ｇ個の送受信ユニットグループの測定結果を得ることと、
ここで、各送受信ユニットグループの測定結果は、当該送受信ユニットグループで前記Ｎ個の送信ビームのビームトレーニング信号に対し受信および測定を行った測定結果を含み、
前記Ｇ個の送受信ユニットグループの測定結果に基づいて前記Ｎ個の送信ビームからＱ個の送信ビームを選択し、前記Ｑ個の送信ビームをＧ個の送信ビームグループに区分することと、
をさらに含む。
【０１６９】
選択可能に、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することは、
前記Ｇ個の送受信ユニットグループの測定結果から、受信品質が第Ｑ位までのＱ個の測定結果を選択し、前記Ｑ個の測定結果に対応するＱ個の送信ビームを前記Ｎ個の送信ビームから選択し、前記Ｑ個の測定結果において前記Ｑ個の送信ビームに対応する送受信ユニットグループに基づいて、前記Ｑ個の送信ビームをＧ個の送信ビームグループに区分することを含む。
【０１７０】
選択可能に、前記Ｇ個の送受信ユニットグループの測定結果に基づいて前記Ｎ個の送信ビームからＱ個の送信ビームを選択し、前記Ｑ個の送信ビームをＧ個の送信ビームグループに区分することは、
各送受信ユニットグループの測定結果に対し、当該送受信ユニットグループの測定結果において受信品質が第Ｑｇ位までのＱｇ個の測定結果を選択してＱ個の測定結果を得ることと、
ここで、異なる送受信ユニットグループに対し、前記Ｑｇは、同一または異なる正整数であり、かつ前記Ｇ個の送信ビームグループに対応するＱｇの和は、前記Ｑであり、
前記Ｑ個の測定結果に対応するＱ個の送信ビームを前記Ｎ個の送信ビームから選択し、各送受信ユニットグループのＱｇ個の測定結果に対応するＱｇ個の送信ビームを、当該送受信ユニットグループに対応する送信ビームグループに区分することと、
をさらに含む。
【０１７１】
選択可能に、各送受信ユニットグループは、少なくとも１つの送受信ユニットを含み、かつ各送受信ユニットは、少なくとも１つの受信ビームを含む。
前記の送信側から送信されたＮ個の送信ビームのうちの各送信ビームのビームトレーニング信号に対し、前記Ｇ個の送受信ユニットグループで受信および測定を行い、前記Ｇ個の送受信ユニットグループの測定結果を得ることは、
送信側から送信されたＮ個の送信ビームのうちの各送信ビームのビームトレーニング信号に対し、前記Ｇ個の送受信ユニットグループの各受信ビームで受信および測定を行い、前記Ｇ個の送受信ユニットグループの測定結果セットを得ることと、
ここで、各送受信ユニットグループの測定結果セットは、当該送受信ユニットグループの各受信ビームで前記Ｎ個の送信ビームのビームトレーニング信号に対し受信および測定を行った測定結果を含み、
前記Ｇ個の送受信ユニットグループの測定結果を前記Ｇ個の送受信ユニットグループの測定結果セットから選択することと、
ここで、前記各送受信ユニットグループの測定結果は、Ｎ個の測定結果を含み、当該Ｎ個の測定結果は、当該送受信ユニットグループの測定結果セットのうち、各送信ビームに対応する受信品質が最大の測定結果であり、
さらに含む。
【０１７２】
選択可能に、プロセッサ１４００は、さらに、
前記受信側の受信ビーム候補から、前記Ｑ個の送信ビームに対し１つの受信ビームを選択し、
送信ビームグループ毎に、当該送信ビームグループのうち、同一の受信ビームに対応する送信ビームを１つの送信ビームサブグループに区分する。
前記Ｎ個の送信ビームのうちのＱ個の送信ビームのＩＤ情報および前記Ｑ個の送信ビームのうちの各送信ビームのグループ情報を前記送信側に送信することは、前記Ｎ個の送信ビームのうちのＱ個の送信ビームのＩＤ情報および前記Ｑ個の送信ビームのうちの各送信ビームのグループ情報とサブグループ情報を前記送信側に送信することを含む。
【０１７３】
選択可能に、前記受信側の受信ビーム候補から、前記Ｑ個の送信ビームに対し１つの受信ビームを選択することは、送信ビーム毎に、前記受信側のすべての受信ビーム候補による当該送信ビームのビームトレーニング信号の測定結果を取得し、取得した測定結果のうち、最大受信品質の測定結果に対応する受信ビームを、当該送信ビームの受信ビームとすることを含む。
【０１７４】
選択可能に、前記Ｎ個の送信ビームのうちのＱ個の送信ビームのＩＤ情報および前記Ｑ個の送信ビームのうちの各送信ビームのグループ情報とサブグループ情報を前記送信側に送信することは、
Ｇ個の送信ビームグループのグループ情報を前記送信側に送信することと、
ここで、各送信ビームグループのグループ情報は、当該送信ビームグループ内の各送信ビームサブグループの送信ビームサブグループ情報を含み、各送信ビームサブグループ情報は、当該送信ビームサブグループ内の各送信ビームのＩＤ情報を含み、
または、
前記Ｑ個の送信ビームのビーム区分情報を前記送信側に送信することと、
ここで、各送信ビームのビーム区分情報は、当該送信ビームのＩＤ情報、当該送信ビームが属する送信ビームグループのグループＩＤ、および当該送信ビームが属する送信ビームサブグループのサブグループＩＤを含み、
を含む。
【０１７５】
選択可能に、前記Ｇ個の送信ビームグループに目標送信ビームグループが存在するのであれば、前記目標送信ビームグループには、目標送信ビームを含み、前記目標送信ビームに対応する受信ビームと、前記目標送信ビームグループ内のほかの送信ビームに対応する受信ビームとは異なり、前記目標送信ビームのサブグループＩＤは、ヌルであるか所定のＩＤである。
【０１７６】
なお、本実施例における上記受信側は、図１〜図５に示す実施例の受信側であってもよい。図１〜図５に示す実施例の受信側の任意の実施形態は、本実施例の上記受信側によって実現可能であり、同一の効果を奏することもでき、ここでは繰り返して記載しない。
【０１７７】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１７８】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１７９】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１８０】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
0006970752.tif 000014
【図２】
0006970752.tif 000015
【図３】
0006970752.tif 000016
【図４】
0006970752.tif 000017
【図５】
0006970752.tif 000018
【図６】
0006970752.tif 000019
【図７】
0006970752.tif 000020
【図８】
0006970752.tif 000021
【図９】
0006970752.tif 000022
【図１０】
0006970752.tif 000023
【図１１】
0006970752.tif 000024
【図１２】
0006970752.tif 000025
【図１３】
0006970752.tif 000026
【図１４】
0006970752.tif 000027